(57)【要約】【課題】電磁妨害雑音水準を改善できる駆動方法、タッチセンシング回路、表示パネルおよびタッチ表示装置を提供すること。【解決手段】本発明は、表示パネルに内蔵された複数のタッチ電極のうち少なくとも一つを駆動するためのパルスタイプのタッチ駆動信号を出力して複数のタッチ電極のそれぞれからキャパシタンス変化を検出してタッチ有無またはタッチ位置をセンシングするに際し、タッチ駆動信号の周波数を変更させながらタッチ電極を駆動するマルチ周波数駆動方式のタッチ駆動を遂行する駆動方法、タッチセンシング回路、表示パネルおよびタッチ表示装置に関するものである。本発明によれば、タッチセンシングを可能にしながらも、タッチ駆動信号によって発生し得る電磁妨害雑音による影響を低減させることができる。【選択図】図１
2018005882.tif 000002
【特許請求の範囲】
【請求項１】
複数のデータラインおよび複数のゲートラインが配置され、前記複数のデータラインおよび前記複数のゲートラインによって定義される複数のサブピクセルが配列された表示パネルを含み、映像表示のためのディスプレイモードとタッチセンシングのためのタッチモードとを有するタッチ表示装置において、
前記表示パネルの外部または内部に配置された複数のタッチ電極；および
前記複数のタッチ電極のうち少なくとも一つを駆動するためのパルスタイプのタッチ駆動信号を出力してタッチ有無またはタッチ位置をセンシングするタッチセンシング回路を含み、
前記タッチモードのための各タッチ区間はｋ（ｋは２以上の自然数）個以上の単位タッチ区間を含み、
前記ｋ個以上の単位タッチ区間のそれぞれから出力されるタッチ駆動信号は一定の周波数を有し、
前記ｋ個以上の単位タッチ区間のうち少なくとも一つの単位タッチ区間から出力されるタッチ駆動信号の周波数は、
他の単位タッチ区間から出力されるタッチ駆動信号の周波数と異なる、タッチ表示装置。
【請求項２】
前記ｋ個以上の単位タッチ区間のそれぞれから出力されるタッチ駆動信号の周波数は、
該当単位タッチ区間の区間長さと、該当単位タッチ区間でのタッチ駆動信号のパルス個数によって定義される、請求項１に記載のタッチ表示装置。
【請求項３】
前記ｋ個以上の単位タッチ区間のそれぞれの区間長さが同一であり、
前記ｋ個以上の単位タッチ区間のそれぞれでのタッチ駆動信号のパルス個数が互いに異なる、請求項２に記載のタッチ表示装置。
【請求項４】
前記ｋ個以上の単位タッチ区間のそれぞれの区間長さが互いに異なり、
前記ｋ個以上の単位タッチ区間のそれぞれでのタッチ駆動信号のパルス個数が同じである、請求項２に記載のタッチ表示装置。
【請求項５】
前記ディスプレイモードのためのディスプレイ区間と前記タッチモードのためのタッチ区間は時間的に分離されて存在し、
一フレーム区間は、
一つのディスプレイ区間と一つのタッチ区間、または、
二以上のディスプレイ区間と一つ以上のタッチ区間、
を含む、請求項１に記載のタッチ表示装置。
【請求項６】
前記ｋ個以上の単位タッチ区間の区間長さの合計は、前記一つのタッチ区間の区間長さ以下である、請求項１に記載のタッチ表示装置。
【請求項７】
前記複数のタッチ電極のうち少なくとも一つに前記タッチ駆動信号が印加される前記タッチ区間の間、
前記複数のデータラインの全体または一部に前記タッチ駆動信号と位相または振幅が対応する無負荷駆動信号が印加され、
前記単位タッチ区間の変更により前記タッチ駆動信号の周波数が変更されると、
前記複数のデータラインの全体または一部に印加される無負荷駆動信号の周波数も同期化されて変更される、請求項１に記載のタッチ表示装置。
【請求項８】
前記複数のタッチ電極のうち少なくとも一つに前記タッチ駆動信号が印加される前記タッチ区間の間、
前記複数のゲートラインの全体または一部に前記タッチ駆動信号と位相または振幅が対応する無負荷駆動信号が印加され、
前記単位タッチ区間の変更により前記タッチ駆動信号の周波数が変更されると、
前記複数のゲートラインの全体または一部に印加される無負荷駆動信号の周波数も同期化されて変更される、請求項１に記載のタッチ表示装置。
【請求項９】
前記複数のタッチ電極のうち少なくとも一つに前記タッチ駆動信号が印加される前記タッチ区間の間、
残りのタッチ電極の全体または一部に前記タッチ駆動信号と位相または振幅が対応する無負荷駆動信号が印加され、
前記単位タッチ区間の変更により前記タッチ駆動信号の周波数が変更されると、
前記残りのタッチ電極の全体または一部に印加される無負荷駆動信号の周波数も同期化されて変更される、請求項１に記載のタッチ表示装置。
【請求項１０】
互いに異なるタッチ区間に該当する第１タッチ区間と第２タッチ区間において、
前記第１タッチ区間で順に使用されるｍ１（ｍ１は２以上でｋ以下の自然数）個の周波数と、前記第２タッチ区間で順に使用されるｍ２（ｍ２は２以上でｋ以下の自然数）個の周波数は、
すべて同一であるか少なくとも一対は互いに異なる、請求項１に記載のタッチ表示装置。
【請求項１１】
前記第１タッチ区間の１番目の単位タッチ区間から出力されるタッチ駆動信号の周波数と、前記第２タッチ区間の１番目の単位タッチ区間から出力されるタッチ駆動信号の周波数は、互いに同じである、請求項１０に記載のタッチ表示装置。
【請求項１２】
使用可能周波数を保存する周波数テーブルをさらに含み、
前記ｋ個以上の単位タッチ区間のそれぞれから出力されるタッチ駆動信号の周波数は、前記周波数テーブルに保存された使用可能周波数中の抽出された周波数である、請求項１に記載のタッチ表示装置。
【請求項１３】
前記ｋ個以上の単位タッチ区間のそれぞれから出力されるタッチ駆動信号の周波数が変更される場合、
前記周波数テーブルに保存された使用可能周波数リストから定められた順にまたはランダムに抽出して変更される、請求項１２に記載のタッチ表示装置。
【請求項１４】
前記一つのタッチ区間で使用されるｍ（ｍは２以上でｋ以下の自然数）個の周波数は、
前記周波数テーブルに保存された使用可能周波数リストから抽出される時、周波数間隔が一定間隔以上となるように抽出される、請求項１２に記載のタッチ表示装置。
【請求項１５】
前記ｋ個以上の単位タッチ区間のそれぞれから出力されるタッチ駆動信号の周波数は、あらかじめ設定された使用可能周波数範囲内で決定される、請求項１に記載のタッチ表示装置。
【請求項１６】
前記一つのタッチ区間で使用されるｍ個以上の周波数は、
前記使用可能周波数範囲内で抽出される時、周波数間隔が一定間隔以上となるように決定される、請求項１５に記載のタッチ表示装置。
【請求項１７】
前記タッチ区間が３個以上の単位タッチ区間を含む場合、
前記３個以上の単位タッチ区間のそれぞれの周波数は、一定の大きさに変化される、請求項１に記載のタッチ表示装置。
【請求項１８】
前記タッチセンシング回路は、
前記タッチ駆動信号の周波数を変更する時、ノイズ測定結果によりノイズが回避される周波数に変更する、請求項１に記載のタッチ表示装置。
【請求項１９】
前記タッチセンシング回路は、
前記ノイズ測定結果により把握されたノイズ誘発周波数を、あらかじめ設定された使用可能周波数リストまたは使用可能周波数範囲から除去する、請求項１８に記載のタッチ表示装置。
【請求項２０】
複数のデータラインおよび複数のゲートラインが配置され、前記複数のデータラインおよび前記複数のゲートラインによって定義される複数のサブピクセルが配列された表示パネルを含み、映像表示のためのディスプレイモードとタッチセンシングのためのタッチモードとを有するタッチ表示装置の駆動方法において、
前記ディスプレイモードのためのディスプレイ区間の間、データラインおよびゲートラインを駆動するディスプレイ駆動段階；および
前記タッチモードのためのタッチ区間の間、前記表示パネルの内部または外部に配置された複数のタッチ電極のうち少なくとも一つを駆動するためのパルスタイプのタッチ駆動信号を出力するタッチ駆動段階を含み、
一つのタッチ区間はｋ（ｋは２以上の自然数）個以上の単位タッチ区間を含み、
前記ｋ個以上の単位タッチ区間のそれぞれから出力されるタッチ駆動信号は一定の周波数を有し、
前記ｋ個以上の単位タッチ区間のうち少なくとも一つの単位タッチ区間から出力されるタッチ駆動信号の周波数は、
他の単位タッチ区間から出力されるタッチ駆動信号の周波数と異なる、駆動方法。
【請求項２１】
映像表示のためのディスプレイモードとタッチセンシングのためのタッチモードとを有するタッチ表示装置に含まれたタッチセンシング回路において、
複数のタッチ電極のうち少なくとも一つを駆動するためのパルスタイプのタッチ駆動信号を出力する駆動回路；および
前記複数のタッチ電極のそれぞれからキャパシタンス変化を検出してタッチ有無またはタッチ位置をセンシングするセンシング回路を含み、
前記タッチモードのための一つのタッチ区間はｋ（ｋは２以上の自然数）個以上の単位タッチ区間を含み、
前記ｋ個以上の単位タッチ区間のそれぞれから出力されるタッチ駆動信号は一定の周波数を有し、
前記ｋ個以上の単位タッチ区間のうち少なくとも一つの単位タッチ区間から出力されるタッチ駆動信号の周波数は、
他の単位タッチ区間から出力されるタッチ駆動信号の周波数と異なる、タッチセンシング回路。
【請求項２２】
前記二つ以上の周波数を有するタッチ駆動信号を生成する信号生成回路をさらに含む、請求項２１に記載のタッチセンシング回路。
【請求項２３】
前記二つ以上の周波数のうち一つの周波数のタッチ駆動信号を生成する信号生成回路；および
前記信号生成回路で生成されたタッチ駆動信号を異なる周波数のタッチ駆動信号に変換する信号変換回路をさらに含む、請求項２１に記載のタッチセンシング回路。
【請求項２４】
映像表示のためのディスプレイモードとタッチセンシングのためのタッチモードとを有するタッチ表示装置に含まれたタッチセンシング回路において、
タッチセンシングのための複数のタッチ電極のうち少なくとも一つを駆動するためのパルスタイプのタッチ駆動信号を出力する信号出力部；および
前記タッチ駆動信号が印加されたタッチ電極からタッチセンシングのための信号を検出する信号検出部を含み、
前記タッチモードのための一つのタッチ区間はｋ（ｋは２以上の自然数）個以上の単位タッチ区間を含み、
前記ｋ個以上の単位タッチ区間のそれぞれから出力されるタッチ駆動信号は一定の周波数を有し、
前記ｋ個以上の単位タッチ区間のうち少なくとも一つの単位タッチ区間から出力されるタッチ駆動信号の周波数は、
他の単位タッチ区間から出力されるタッチ駆動信号の周波数と異なる、タッチセンシング回路。
【請求項２５】
ディスプレイ区間の間、映像信号に該当するデータ電圧が印加される複数のデータライン；
前記ディスプレイ区間の間、スキャン信号が印加される複数のゲートライン；および
タッチ区間の間、パルスタイプのタッチ駆動信号が印加される複数のタッチ電極を含み、
前記各タッチ区間はｋ個以上の単位タッチ区間を含み、
前記ｋ（ｋは２以上の自然数）個以上の単位タッチ区間のそれぞれから出力されるタッチ駆動信号は一定の周波数を有し、
前記ｋ個以上の単位タッチ区間のうち少なくとも一つの単位タッチ区間から出力されるタッチ駆動信号の周波数は、
他の単位タッチ区間から出力されるタッチ駆動信号の周波数と異なる、表示パネル。
【発明の詳細な説明】
【技術分野】
【０００１】
本実施例は、駆動方法、タッチセンシング回路、表示パネルおよびタッチ表示装置に関するものである。
【背景技術】
【０００２】
情報化社会が発展するにつれて画像を表示するための表示装置に対する要求が多様な形態で増加しており、最近では液晶表示装置（ＬＣＤ：Ｌｉｑｕｉｄ  Ｃｒｙｓｔａｌ  Ｄｉｓｐｌａｙ  Ｄｅｖｉｃｅ）、プラズマ表示装置（ＰＤＰ：Ｐｌａｓｍａ  Ｄｉｓｐｌａｙ  Ｐａｎｅｌ）、有機発光表示装置（ＯＬＥＤ：Ｏｒｇａｎｉｃ  Ｌｉｇｈｔ  Ｅｍｉｔｔｉｎｇ  Ｄｉｓｐｌａｙ  Ｄｅｖｉｃｅ）などのような様々な表示装置が活用されている。
【０００３】
このような表示装置の中には、ボタン、キーボード、マウスなどの通常の入力方式から脱皮し、使用者が容易に情報あるいは命令を直観的かつ便利に入力できるようにするタッチ基盤の入力方式を提供できるタッチ表示装置がある。
【０００４】
このようなタッチ表示装置がタッチ基盤の入力方式を提供するためには、使用者のタッチ有無を把握し、タッチ座標（タッチ位置）を正確に検出できなければならない。
【０００５】
このために、タッチパネル（タッチスクリーンパネル）にタッチセンサ（Ｔｏｕｃｈ  Ｓｅｎｓｏｒ）として配置された複数のタッチ電極を通じて、タッチ電極間のキャパシタンスまたはタッチ電極と指などのポインタ間のキャパシタンスの変化に基づいてタッチ有無およびタッチ座標などを検出するキャパシタンスタッチ方式が多く採用されている。
【０００６】
一方、タッチセンシング機能を有するタッチ表示装置などの電子機器は電磁妨害雑音（ＥＭＩ：Ｅｌｅｃｔｒｏ  Ｍａｇｎｅｔｉｃ  Ｉｎｔｅｒｆｅｒｅｎｃｅ、以下「ＥＭＩ」という）に対する水準が一定水準以下とならなければならない条件を満足しなければならない。
【０００７】
しかし、既存のタッチ表示装置はタッチセンシングのためのタッチ駆動信号によってＥＭＩ水準が非常に大きくなる問題点があった。
【０００８】
特に、タッチセンシングのためにタッチ電極に印加されるタッチ駆動信号が所定の周波数を有するパルスタイプの信号である場合、ＥＭＩの影響がさらに大きくなり得る。
【０００９】
このようなＥＭＩの影響により、タッチ表示装置のシステム安定性を低下させ、タッチセンシング時に得られるセンシング電圧などに影響を及ぼしてタッチセンシング性能を低下させるか、ディスプレイに必要な他の電圧にも影響を及ぼしてディスプレイ性能を低下させる問題点が引き起こされる可能性がある。
【発明の概要】
【発明が解決しようとする課題】
【００１０】
本実施例の目的は、ＥＭＩ（Ｅｌｅｃｔｒｏ  Ｍａｇｎｅｔｉｃ  Ｉｎｔｅｒｆｅｒｅｎｃｅ）水準を改善できる駆動方法、タッチセンシング回路、表示パネルおよびタッチ表示装置を提供することである。
【００１１】
本実施例の他の目的は、タッチ区間でＥＭＩ水準を改善しながらも不要な寄生キャパシタンスの発生を防止できる駆動方法、タッチセンシング回路、表示パネルおよびタッチ表示装置を提供することである。
【００１２】
本実施例のさらに他の目的は、ＥＭＩ改善を可能にするマルチ周波数駆動方式のタッチ駆動を遂行できる駆動方法、タッチセンシング回路、表示パネルおよびタッチ表示装置を提供することである。
【課題を解決するための手段】
【００１３】
一側面において、本実施例は、複数のデータラインおよび複数のゲートラインが配置され、複数のデータラインおよび複数のゲートラインによって定義される複数のサブピクセルが配列された表示パネルを含み、映像表示のためのディスプレイモードとタッチセンシングのためのタッチモードとを有するタッチ表示装置を提供することができる。
【００１４】
このようなタッチ表示装置は、表示パネルの外部または内部に配置された複数のタッチ電極と、複数のタッチ電極のうち少なくとも一つを駆動するためのパルスタイプのタッチ駆動信号を出力してタッチ有無またはタッチ位置をセンシングするタッチセンシング回路を含むことができる。
【００１５】
このようなタッチ表示装置において、タッチモードのための各タッチ区間はｎ（ｎは２以上の自然数）個以上の単位タッチ区間を含むことができる。
【００１６】
各タッチ区間に含まれたｋ個以上の単位タッチ区間のそれぞれから出力されるタッチ駆動信号は一定の周波数を有することができる。
【００１７】
ｋ個以上の単位タッチ区間のうち少なくとも一つの単位タッチ区間から出力されるタッチ駆動信号の周波数は、他の単位タッチ区間から出力されるタッチ駆動信号の周波数と異なり得る。
【００１８】
他の側面において、本実施例は、複数のデータラインおよび複数のゲートラインが配置され、複数のデータラインおよび複数のゲートラインによって定義される複数のサブピクセルが配列された表示パネルを含み、映像表示のためのディスプレイモードとタッチセンシングのためのタッチモードとを有するタッチ表示装置の駆動方法を提供することができる。
【００１９】
このような駆動方法は、ディスプレイモードのためのディスプレイ区間の間、データラインおよびゲートラインを駆動するディスプレイ駆動段階と、タッチモードのためのタッチ区間の間、表示パネルの内部または外部に配置された複数のタッチ電極のうち少なくとも一つを駆動するためのパルスタイプのタッチ駆動信号を出力するタッチ駆動段階とを含むことができる。
【００２０】
タッチ駆動段階において、一つのタッチ区間はｋ個以上の単位タッチ区間を含むことができる。
【００２１】
ｋ個以上の単位タッチ区間のそれぞれから出力されるタッチ駆動信号は一定の周波数を有することができる。
【００２２】
ｋ個以上の単位タッチ区間のうち少なくとも一つの単位タッチ区間から出力されるタッチ駆動信号の周波数は、他の単位タッチ区間から出力されるタッチ駆動信号の周波数と異なり得る。
【００２３】
さらに他の側面において、本実施例は、映像表示のためのディスプレイモードとタッチセンシングのためのタッチモードとを有するタッチ表示装置に含まれたタッチセンシング回路を提供することができる。
【００２４】
このようなタッチセンシング回路は、複数のタッチ電極のうち少なくとも一つを駆動するためのパルスタイプのタッチ駆動信号を出力する駆動回路と、複数のタッチ電極のそれぞれからキャパシタンス変化を検出してタッチ有無またはタッチ位置をセンシングするセンシング回路を含むことができる。
【００２５】
タッチモードのための一つのタッチ区間は、ｋ個以上の単位タッチ区間を含むことができる。
【００２６】
ｋ個以上の単位タッチ区間のそれぞれから出力されるタッチ駆動信号は、一定の周波数を有することができる。
【００２７】
ｋ個以上の単位タッチ区間のうち少なくとも一つの単位タッチ区間から出力されるタッチ駆動信号の周波数は、他の単位タッチ区間から出力されるタッチ駆動信号の周波数と異なり得る。
【００２８】
さらに他の側面において、本実施例は、映像表示のためのディスプレイモードとタッチセンシングのためのタッチモードとを有するタッチ表示装置に含まれたタッチセンシング回路を提供することができる。
【００２９】
このようなタッチセンシング回路は、タッチセンシングのための複数のタッチ電極のうち少なくとも一つを駆動するためのパルスタイプのタッチ駆動信号を出力する信号出力部と、タッチ駆動信号が印加されたタッチ電極からタッチセンシングのための信号を検出する信号検出部を含むことができる。
【００３０】
タッチモードのための一つのタッチ区間は、ｋ個以上の単位タッチ区間を含むことができる。
【００３１】
ｋ個以上の単位タッチ区間のそれぞれから出力されるタッチ駆動信号は、一定の周波数を有することができる。
【００３２】
ｋ個以上の単位タッチ区間のうち少なくとも一つの単位タッチ区間から出力されるタッチ駆動信号の周波数は、他の単位タッチ区間から出力されるタッチ駆動信号の周波数と異なり得る。
【００３３】
さらに他の側面で、本実施例は、ディスプレイ区間の間、映像信号に該当するデータ電圧が印加される複数のデータラインと、ディスプレイ区間の間、スキャン信号が印加される複数のゲートラインと、タッチ区間の間、のパルスタイプのタッチ駆動信号が印加される複数のタッチ電極を含む表示パネルを提供することができる。
【００３４】
各タッチ区間はｋ個以上の単位タッチ区間を含むことができる。
【００３５】
ｋ個以上の単位タッチ区間のそれぞれから出力されるタッチ駆動信号は一定の周波数を有することができる。
【００３６】
ｋ個以上の単位タッチ区間のうち少なくとも一つの単位タッチ区間から出力されるタッチ駆動信号の周波数は、他の単位タッチ区間から出力されるタッチ駆動信号の周波数と異なり得る。
【発明の効果】
【００３７】
以上で説明したような本実施例によれば、ＥＭＩ（Ｅｌｅｃｔｒｏ  Ｍａｇｎｅｔｉｃ  Ｉｎｔｅｒｆｅｒｅｎｃｅ）水準を改善できる駆動方法、タッチセンシング回路、表示パネルおよびタッチ表示装置を提供することができる。
【００３８】
これを通じて、ＥＭＩによるシステム安定性、ディスプレイ性能およびタッチセンシング性能の低下を防止できる。
【００３９】
本実施例によれば、タッチ区間でＥＭＩ水準を改善しながらも不要な寄生キャパシタンスの発生を防止できる駆動方法、タッチセンシング回路、表示パネルおよびタッチ表示装置を提供することができる。
【００４０】
本実施例によれば、ＥＭＩ改善を可能にするマルチ周波数駆動方式（周波数変更方式）のタッチ駆動を遂行できる駆動方法、タッチセンシング回路、表示パネルおよびタッチ表示装置を提供することができる。
【図面の簡単な説明】
【００４１】
【図１】本実施例に係るタッチ表示装置の概略的なシステム構成図である。
【図２】本実施例に係るタッチ表示装置で、ディスプレイ区間とタッチ区間でタッチ電極に印加される信号を示した図面である。
【図３】本実施例に係るタッチ表示装置のＶ−センシング方式に係るディスプレイ区間とタッチ区間を示した図面である。
【図４】本実施例に係るタッチ表示装置のＨ−センシング方式に係るディスプレイ区間とタッチ区間を示した図面である。
【図５】本実施例に係るタッチ表示装置で発生する寄生キャパシタンス成分を示した図面である。
【図６】本実施例に係るタッチ表示装置の無負荷駆動を示した図面である。
【図７】本実施例に係るタッチ表示装置のタッチ区間でＥＭＩ（Ｅｌｅｃｔｒｏ  Ｍａｇｎｅｔｉｃ  Ｉｎｔｅｒｆｅｒｅｎｃｅ）測定結果を示した図面である。
【図８】本実施例に係るタッチ表示装置のＥＭＩ改善のためのマルチ周波数駆動を説明するための図面である。
【図９】本実施例に係るタッチ表示装置のマルチ周波数駆動特性を説明するために、単一周波数のタッチ駆動信号が出力される単位タッチ区間でのタッチ駆動信号の信号特性を説明するための図面である。
【図１０】本実施例に係るタッチ表示装置がタッチ区間別にタッチ駆動信号の周波数を変更してマルチ周波数駆動を遂行する場合を示した図面である。
【図１１】本実施例に係るタッチ表示装置がタッチ区間別にタッチ駆動信号の周波数を変更してマルチ周波数駆動を遂行する場合、単位タッチ区間でのパルス個数に基づいた周波数変更方式を示した図面である。
【図１２】本実施例に係るタッチ表示装置がタッチ区間別にタッチ駆動信号の周波数を変更してマルチ周波数駆動を遂行する場合、単位タッチ区間の区間長さに基づいた周波数変更方式を示した図面である。
【図１３】本実施例に係るタッチ表示装置がタッチ区間別にタッチ駆動信号の周波数を変更してマルチ周波数駆動を遂行する場合、無負荷駆動を示した図面である。
【図１４】本実施例に係るタッチ表示装置がタッチ区間内でタッチ駆動信号の周波数を変更してマルチ周波数駆動を遂行する場合を示した図面である。
【図１５】本実施例に係るタッチ表示装置がタッチ区間内でタッチ駆動信号の周波数を変更してマルチ周波数駆動を遂行する場合、単位タッチ区間でのパルス個数に基づいた周波数変更方式を示した図面である。
【図１６】本実施例に係るタッチ表示装置がタッチ区間内でタッチ駆動信号の周波数を変更してマルチ周波数駆動を遂行する場合、単位タッチ区間の区間長さに基づいた周波数変更方式を示した図面である。
【図１７】本実施例に係るタッチ表示装置がタッチ区間内でタッチ駆動信号の周波数を変更してマルチ周波数駆動を遂行する場合、無負荷駆動を示した図面である。
【図１８】本実施例に係るタッチ表示装置がＶ−センシング方式下でマルチ周波数駆動を遂行する場合を示した図面である。
【図１９】本実施例に係るタッチ表示装置がＶ−センシング方式下でマルチ周波数駆動を遂行する場合を示した図面である。
【図２０】本実施例に係るタッチ表示装置がＨ−センシング方式下でマルチ周波数駆動を遂行する場合を示した図面である。
【図２１】本実施例に係るタッチ表示装置がＨ−センシング方式下でマルチ周波数駆動を遂行する場合を示した図面である。
【図２２】本実施例に係るタッチ表示装置のマルチ周波数基盤のタッチ駆動を示した図面である。
【図２３】本実施例に係るタッチ表示装置のマルチ周波数基盤のタッチ駆動を示した図面である。
【図２４】本実施例に係るタッチ表示装置のＶ−センシング方式のマルチ周波数基盤のタッチ駆動を示した図面である。
【図２５】本実施例に係るタッチ表示装置のＨ−センシング方式のマルチ周波数基盤のタッチ駆動を示した図面である。
【図２６】本実施例に係るタッチ表示装置のＨ−センシング方式のマルチ周波数基盤のタッチ駆動を示した図面である。
【図２７】本実施例に係るタッチ表示装置のマルチ周波数基盤のタッチ駆動のための周波数変更方式を示した図面である。
【図２８】本実施例に係るタッチ表示装置のマルチ周波数基盤のタッチ駆動のための他の周波数変更方式を示した図面である。
【図２９】本実施例に係るタッチ表示装置のマルチ周波数基盤のタッチ駆動のための周波数変更特性を示した図面である。
【図３０】本実施例に係るタッチ表示装置の駆動方法に対するフローチャートである。
【図３１】本実施例に係るタッチ表示装置のタッチセンシング回路を示した図面である。
【図３２】本実施例に係るタッチ表示装置のタッチセンシング回路を示した図面である。
【図３３】本実施例に係るタッチ表示装置のタッチセンシング回路の駆動回路を示した図面である。
【図３４】本実施例に係るタッチ表示装置のＥＭＩ改善効果を示した図面である。
【発明を実施するための形態】
【００４２】
以下、本発明の一部の実施例を例示的な図面を参照して詳細に説明する。各図面の構成要素に参照符号を付加するにおいて、同じ構成要素に対しては仮に他の図面上に表示されてもできるだけ同じ符号を有し得る。また、本発明を説明するにおいて、関連した公知の構成または機能に対する具体的な説明が本発明の要旨を曖昧にする可能性があると判断される場合にはその詳細な説明は省略し得る。
【００４３】
また、本発明の構成要素を説明するにおいて、第１、第２、Ａ、Ｂ、（ａ）、（ｂ）などの用語を使用することができる。このような用語はその構成要素を他の構成要素と区別するためのものに過ぎず、その用語によって該当構成要素の本質、順序または個数などは限定されない。ある構成要素が他の構成要素に「連結」、「結合」または「接続」されると記載された場合、その構成要素はその他の構成要素に直接的に連結されるかまたは接続され得るが、各構成要素の間に他の構成要素が「介在」されるか、各構成要素が他の構成要素を通じて「連結」、「結合」または「接続」されることもあると理解されるべきである。
【００４４】
図１は本実施例に係るタッチ表示装置１００の概略的なシステム構成図である。図２は本実施例に係るタッチ表示装置１００で、ディスプレイ区間（ＤＳ）とタッチ区間（ＴＳ）でタッチ電極（ＴＥ）に印加される信号を示した図面である。
【００４５】
本実施例に係るタッチ表示装置１００は、映像信号に該当するデータ電圧が印加される複数のデータライン（ＤＬ）と、スキャン信号が印加される複数のゲートライン（ＧＬ）とが配置され、複数のデータライン（ＤＬ）および複数のゲートライン（ＧＬ）により定義される複数のサブピクセル（ＳＰ）が配列された表示パネル１１０を含む。
【００４６】
本実施例に係るタッチ表示装置１００は、映像表示のためのディスプレイモードとタッチセンシングのためのタッチモードとを含む二つの動作モードを有する。
【００４７】
ディスプレイモードのためのディスプレイ区間の間、複数のデータラインには映像信号に該当するデータ電圧が印加され、複数のゲートラインにはスキャン信号が順次印加される。
【００４８】
本実施例に係るタッチ表示装置１００はディスプレイモードで動作するためにデータ駆動回路（図示されず）およびゲート駆動回路（図示されず）などを含むことができる。
【００４９】
本実施例に係るタッチ表示装置１００がディスプレイモードで動作するディスプレイ区間（ＤＳ）の間、データ駆動回路（図示されず）は複数のデータライン（ＤＬ）を駆動し、ゲート駆動回路（図示されず）は複数のゲートライン（ＧＬ）を駆動する。
【００５０】
本実施例に係るタッチ表示装置１００は、タッチモードで動作するためにタッチセンシング回路１２０などを含むことができる。
【００５１】
本実施例に係るタッチ表示装置１００がタッチモードで動作するタッチ区間（ＴＳ）の間、タッチセンシング回路１２０は信号ライン（ＳＬ）を通じて電気的に連結された複数のタッチ電極（ＴＥ）中の少なくとも一つを駆動するためのパルスタイプ（例：ＰＷＭ（Ｐｕｌｓｅ  Ｗｉｄｔｈ  Ｍｏｄｕｌａｔｉｏｎ）信号タイプ）のタッチ駆動信号（ＴＤＳ）を出力してタッチ有無またはタッチ位置をセンシングすることができる。
【００５２】
タッチセンシング回路１２０は、タッチ電極駆動方式において、複数のタッチ電極（ＴＥ）中の少なくとも一つを順次駆動することもでき（順次駆動方式）、すべてのタッチ電極（ＴＥ）を同時に駆動することもできる（同時駆動方式）。
【００５３】
タッチセンシング回路１２０は、タッチ電極駆動方式が順次駆動方式または同時駆動方式であっても、タッチ有無および／またはタッチ位置をセンシング（検出）するセンシング処理方式においては、複数のタッチ電極（ＴＥ）中の少なくとも一つから受信される信号を利用してセンシング処理することができる。
【００５４】
一方、タッチセンシング回路１２０はキャパシタンス変化を検出し、検出されたキャパシタンス変化に基づいてタッチ有無および／またはタッチ位置をセンシングすることができる。すなわち、本実施例に係るタッチ表示装置１００は、キャパシタンス基盤のタッチセンシング方式でタッチをセンシングすることができる。
【００５５】
このようなキャパシタンス基盤のタッチセンシング方式としては、指、ペンなどのポインタとタッチ電極（ＴＥ）との間のキャパシタンス変化を検出してタッチをセンシングするセルフ−キャパシタンス（Ｓｅｌｆ−Ｃａｐａｃｉｔａｎｃｅ）基盤のタッチセンシング方式と、２種類のタッチセンサ間のキャパシタンス変化を検出してタッチをセンシングするミューチュアル−キャパシタンス（Ｍｕｔｕａｌ−Ｃａｐａｃｉｔａｎｃｅ）基盤のタッチセンシング方式などがあり得る。
【００５６】
前述したミューチュアル−キャパシタンス基盤のタッチセンシング方式の場合、タッチ駆動信号（ＴＤＳ）が印加される駆動電極（Ｔｘ電極ともいう）とこのような駆動電極と対応する受信電極（Ｒｘ電極という）を利用して、二つのタッチセンサ（駆動電極、受信電極）間のキャパシタンス変化を検出してタッチをセンシングする方式である。
【００５７】
このようなミューチュアル−キャパシタンス基盤のタッチセンシング方式の場合、二つのタッチセンサの中でタッチ駆動信号（ＴＤＳ）が印加される駆動電極（Ｔｘ電極）は本明細書で言及されるタッチ電極（ＴＥ）に該当し得る。
【００５８】
前述したセルフ−キャパシタンス基盤のタッチセンシング方式の場合、タッチ電極（ＴＥ）にタッチ駆動信号を印加し、タッチ駆動信号が印加されたタッチ電極（ＴＥ）での信号を検出してキャパシタンス変化を検出する方式であって、１種類のタッチセンサに該当するタッチ電極（ＴＥ）が、ミューチュアルキャパシタンス基盤のタッチセンシング方式で利用される駆動電極と受信電極の役割を兼ねているといえる。
【００５９】
本実施例に係るタッチ表示装置１００は、セルフ−キャパシタンス基盤のタッチセンシング方式でタッチ駆動およびタッチセンシングを遂行することもでき、ミューチュアル−キャパシタンス基盤のタッチセンシング方式でタッチ駆動およびタッチセンシングを遂行することもできる。
【００６０】
しかし、以下では、説明の便宜のために、セルフ−キャパシタンス基盤のタッチセンシング方式でタッチ駆動およびタッチセンシングを遂行するものと仮定して説明する。
【００６１】
したがって、タッチセンシング回路１２０は、一例として、複数のタッチ電極（ＴＥ）中の少なくとも一つを駆動して各タッチ電極（ＴＥ）を通じて受信される信号に基づいて各タッチ電極（ＴＥ）でのキャパシタンス変化を検出してタッチ有無および／またはタッチ位置をセンシングすることができる。
【００６２】
一方、タッチセンサ（Ｔｏｕｃｈ  Ｓｅｎｓｏｒ）の役割をする複数のタッチ電極（ＴＥ）は、表示パネル１１０の外部に別途存在するタッチパネル（図示されず）に配置されることもあり、表示パネル１１０の内部に内蔵されて配置されることもある。
【００６３】
このように、複数のタッチ電極（ＴＥ）が表示パネル１１０に内蔵される場合、複数のタッチ電極（ＴＥ）はイン−セル（Ｉｎ−Ｃｅｌｌ）タイプまたはオン−セル（Ｏｎ−Ｃｅｌｌ）タイプで配置され得る。
【００６４】
一方、本実施例に係るタッチ表示装置１００がディスプレイモードで動作する時、すべてのサブピクセルに共通電圧（Ｖｃｏｍ）が印加され得る。
【００６５】
このために、表示パネル１１０には共通電圧（Ｖｃｏｍ）が印加される共通電圧電極が配置され得る。
【００６６】
複数のタッチ電極（ＴＥ）が表示パネル１１０に内蔵される場合、複数のタッチ電極（ＴＥ）はディスプレイ区間（ＤＳ）の間、共通電圧（Ｖｃｏｍ）が印加される共通電圧電極として活用され得る。
【００６７】
ここで、タッチ表示装置１００が液晶表示装置である場合、共通電圧（Ｖｃｏｍ）は、各サブピクセルのピクセル電圧（データ電圧と対応）と電位差を作って各サブピクセルの階調を表現するのに利用される。
【００６８】
前述した通り、複数のタッチ電極（ＴＥ）が共通電圧電極として活用される場合、図２に図示された通り、本実施例に係るタッチ表示装置１００で、複数のタッチ電極（ＴＥ）は、ディスプレイ区間（ＤＳ）の間は共通電圧電極の役割をし、タッチ区間（ＴＳ）の間はタッチセンサの役割をすることができる。
【００６９】
図２を参照すれば、ディスプレイ区間（ＤＳ）とタッチ区間（ＴＳ）は一フレーム区間が時分割されて定義され得る。
【００７０】
一フレーム区間をディスプレイ区間（ＤＳ）とタッチ区間（ＴＳ）に時分割する方式により、タッチセンシング方式は、図３のようなＶ−センシング方式と、図４のようなＨ−センシング方式などを含むことができる。
【００７１】
図３は、本実施例に係るタッチ表示装置１００のＶ−センシング方式に係るディスプレイ区間（ＤＳ）とタッチ区間（ＴＳ）を示した図面で、図４は、本実施例に係るタッチ表示装置１００のＨ−センシング方式に係るディスプレイ区間（ＤＳ）とタッチ区間（ＴＳ）を示した図面である。
【００７２】
図３を参照すれば、Ｖ−センシング方式の場合、一フレーム区間を１個のディスプレイ区間（ＤＳ）と１個以上のタッチ区間（ＴＳ）に時分割する。
【００７３】
１個のディスプレイ区間（ＤＳ）の間、タッチ表示装置１００は、一フレームに対するディスプレイ駆動を遂行する。
【００７４】
１個以上のタッチ区間（ＴＳ）の間、タッチ表示装置１００は、一フレーム領域でのタッチ有無またはタッチ位置をセンシングする。
【００７５】
図４を参照すれば、Ｈ−センシング方式の場合、一フレーム区間を２個以上のディスプレイ区間（ＤＳ）と１個以上のタッチ区間（ＴＳ）に時分割する。
【００７６】
２個以上のディスプレイ区間（ＤＳ）の間、タッチ表示装置１００は、一フレームに対するディスプレイ駆動を遂行する。
【００７７】
２個以上のタッチ区間（ＴＳ）の間、タッチ表示装置１００は、一フレーム領域でのタッチ有無またはタッチ位置をセンシングする。
【００７８】
図３および図４を参照すれば、ディスプレイ区間（ＤＳ）とタッチ区間（ＴＳ）は同期化信号（ＳＹＮＣ）により定義され得る。
【００７９】
このような同期化信号（ＳＹＮＣ）はタイミングコントローラ（Ｔｉｍｉｎｇ  Ｃｏｎｔｒｏｌｌｅｒ）などのような制御構成で生成されて、ディスプレイ駆動のための回路（例：データ駆動回路、ゲート駆動回路など）およびタッチ駆動のための回路（例：タッチセンシング回路１２０など）に伝達され得る。
【００８０】
図３および図４を参照すれば、同期化信号（ＳＹＮＣ）で、ハイレバル区間（またはローレベル区間）はディスプレイ区間（ＤＳ）に該当し、ローレベル区間（またはハイレバル区間）はタッチ区間（ＴＳ）に該当し得る。
【００８１】
図５は本実施例に係るタッチ表示装置１００で発生する寄生キャパシタンス成分（Ｃｐ１、Ｃｐ２、Ｃｐ３）を示した図面である。
【００８２】
図５を参照すれば、タッチ区間（ＴＳ）の間、いずれか一つまたは二以上のタッチ電極（ＴＥｓ）にタッチ駆動信号（ＴＤＳ）が印加されている時、タッチ駆動信号（ＴＤＳ）が印加されたタッチ電極（ＴＥｓ）は、データライン（ＤＬ）と寄生キャパシタンス（Ｃｐ１）を形成し、ゲートライン（ＧＬ）と寄生キャパシタンス（Ｃｐ２）を形成し、タッチ駆動信号（ＴＤＳ）が印加されない他のタッチ電極（ＴＥｏ）と寄生キャパシタンス（Ｃｐ３）を形成することができる。
【００８３】
このように、タッチ区間（ＴＳ）の間発生する寄生キャパシタンス（Ｃｐ１、Ｃｐ２、Ｃｐ３）は、タッチセンシング時に負荷（Ｌｏａｄ）として作用してセンシング正確度を低下させる主要要因となり得る。
【００８４】
したがって、本実施例に係るタッチ表示装置１００は、タッチ区間（ＴＳ）の間複数のタッチ電極（ＴＥ）中の少なくとも一つを駆動する時、タッチセンシング時にロード（Ｌｏａｄ）として作用する寄生キャパシタンス（Ｃｐ１、Ｃｐ２、Ｃｐ３）が発生することを防止するか減らす無負荷駆動（Ｌｏａｄ  Ｆｒｅｅ  Ｄｒｉｖｉｎｇ）を遂行できる。
【００８５】
図６は、本実施例に係るタッチ表示装置１００の無負荷駆動を示した図面である。
【００８６】
図６を参照すれば、本実施例に係るタッチ表示装置１００は、タッチ区間（ＴＳ）の間少なくとも一つのタッチ電極（ＴＥｓ）にタッチ駆動信号（ＴＤＳ）を印加する時、複数のデータライン（ＤＬ）の全体または一部に無負荷駆動信号（Ｄ＿ＬＦＤＳ）を印加することができる。
【００８７】
複数のデータライン（ＤＬ）の中で無負荷駆動信号（Ｄ＿ＬＦＤＳ）が印加される一部のデータライン（ＤＬ）は、タッチ駆動信号（ＴＤＳ）が印加されたタッチ電極（ＴＥｓ）と対応する位置に配置されたデータラインであり得る。
【００８８】
データライン（ＤＬ）の全体または一部に印加される無負荷駆動信号（Ｄ＿ＬＦＤＳ）は、タッチ駆動信号（ＴＤＳ）であるか、タッチ駆動信号（ＴＤＳ）と対応する信号であり得る。
【００８９】
無負荷駆動信号（Ｄ＿ＬＦＤＳ）がタッチ駆動信号（ＴＤＳ）と対応する場合、無負荷駆動信号（Ｄ＿ＬＦＤＳ）はタッチ駆動信号（ＴＤＳ）の周波数と同じ周波数を有し、タッチ駆動信号（ＴＤＳ）の位相と同じ位相を有することができ、また、タッチ駆動信号（ＴＤＳ）の振幅と同じ振幅を有することもできる。
【００９０】
これによって、タッチ駆動信号（ＴＤＳ）が印加されたタッチ電極（ＴＥｓ）と無負荷駆動信号（Ｄ＿ＬＦＤＳ）が印加されたデータライン（ＤＬ）の間に電位差が発生しないため、タッチ駆動信号（ＴＤＳ）が印加されたタッチ電極（ＴＥｓ）と無負荷駆動信号（Ｄ＿ＬＦＤＳ）が印加されたデータライン（ＤＬ）の間に寄生キャパシタンス（Ｃｐ１）が形成されることが防止され得る。
【００９１】
図６を参照すれば、本実施例に係るタッチ表示装置１００は、タッチ区間（ＴＳ）の間少なくとも一つのタッチ電極（ＴＥｓ）にタッチ駆動信号（ＴＤＳ）を印加する時、複数のゲートライン（ＧＬ）の全体または一部に無負荷駆動信号（Ｇ＿ＬＦＤＳ）を印加することができる。
【００９２】
複数のゲートライン（ＧＬ）の中で無負荷駆動信号（Ｇ＿ＬＦＤＳ）が印加される一部のゲートライン（ＧＬ）は、タッチ駆動信号（ＴＤＳ）が印加されたタッチ電極（ＴＥｓ）と対応する位置に配置されたゲートラインであり得る。
【００９３】
ゲートライン（ＧＬ）の全体または一部に印加される無負荷駆動信号（Ｇ＿ＬＦＤＳ）は、タッチ駆動信号（ＴＤＳ）であるか、タッチ駆動信号（ＴＤＳ）と対応する信号であり得る。
【００９４】
無負荷駆動信号（Ｇ＿ＬＦＤＳ）がタッチ駆動信号（ＴＤＳ）と対応する場合、無負荷駆動信号（Ｇ＿ＬＦＤＳ）は、タッチ駆動信号（ＴＤＳ）の周波数と同じ周波数を有し、タッチ駆動信号（ＴＤＳ）の位相と同じ位相を有することができ、また、タッチ駆動信号（ＴＤＳ）の振幅と同じ振幅を有することもできる。
【００９５】
これによって、タッチ駆動信号（ＴＤＳ）が印加されたタッチ電極（ＴＥｓ）と無負荷駆動信号（Ｇ＿ＬＦＤＳ）が印加されたゲートライン（ＧＬ）の間に電位差が発生しないため、タッチ駆動信号（ＴＤＳ）が印加されたタッチ電極（ＴＥｓ）と無負荷駆動信号（Ｇ＿ＬＦＤＳ）が印加されたゲートライン（ＧＬ）の間に寄生キャパシタンス（Ｃｐ２）が形成されることが防止され得る。
【００９６】
図６を参照すれば、本実施例に係るタッチ表示装置１００は、タッチ区間（ＴＳ）の間少なくとも一つのタッチ電極（ＴＥｓ）にタッチ駆動信号（ＴＤＳ）を印加する時、タッチ駆動信号（ＴＤＳ）が印加されない他のタッチ電極（ＴＥｏ）に無負荷駆動信号（Ｔ＿ＬＦＤＳ）を印加することができる。
【００９７】
複数のタッチ電極（ＴＥ）の中で無負荷駆動信号（Ｔ＿ＬＦＤＳ）が印加される他のタッチ電極（ＴＥｏ）は、タッチ駆動信号（ＴＤＳ）が印加されたタッチ電極（ＴＥｓ）と隣接するように配置されたタッチ電極（ＴＥ）であるか、他のすべてのタッチ電極（ＴＥ）であり得る。
【００９８】
他のタッチ電極（ＴＥｏ）に印加される無負荷駆動信号（Ｔ＿ＬＦＤＳ）は、タッチ駆動信号（ＴＤＳ）であるか、タッチ駆動信号（ＴＤＳ）と対応する信号であり得る。
【００９９】
無負荷駆動信号（Ｔ＿ＬＦＤＳ）がタッチ駆動信号（ＴＤＳ）と対応する場合、無負荷駆動信号（Ｔ＿ＬＦＤＳ）はタッチ駆動信号（ＴＤＳ）の周波数と同じ周波数を有し、タッチ駆動信号（ＴＤＳ）の位相と同じ位相を有することができ、また、タッチ駆動信号（ＴＤＳ）の振幅と同じ振幅を有することもできる。
【０１００】
これによって、タッチ駆動信号（ＴＤＳ）が印加されたタッチ電極（ＴＥｓ）と無負荷駆動信号（Ｔ＿ＬＦＤＳ）が印加された他のタッチ電極（ＴＥｏ）の間に電位差が発生しないため、タッチ駆動信号（ＴＤＳ）が印加されたタッチ電極（ＴＥｓ）と無負荷駆動信号（Ｔ＿ＬＦＤＳ）が印加された他のタッチ電極（ＴＥｏ）の間に寄生キャパシタンス（Ｃｐ３）が形成されることが防止され得る。
【０１０１】
前述したような無負荷駆動（Ｌｏａｄ  Ｆｒｅｅ  Ｄｒｉｖｉｎｇ）時、データライン（ＤＬ）、ゲートライン（ＧＬ）およびタッチ電極（ＴＥｏ）中の少なくとも一種類で無負荷駆動信号（Ｄ＿ＬＦＤＳ、Ｇ＿ＬＦＤＳ、Ｔ＿ＬＦＤＳ中の少なくとも一つ）は、タッチ駆動信号（ＴＤＳ）と完全に同じ信号であり得、寄生キャパシタンスを除去することさえできれば、タッチ駆動信号（ＴＤＳ）と異なるか類似の信号であり得る。
【０１０２】
タッチセンシング回路１２０がタッチ駆動信号（ＴＤＳ）と完全に同じ無負荷駆動信号を出力しても、負荷およびＲＣ遅延（Ｒｅｓｉｓｔｉｖｅ−Ｃａｐａｃｉｔｉｖｅ  Ｄｅｌａｙ）などのパネル特性により、データライン（ＤＬ）、ゲートライン（ＧＬ）、またはタッチ電極（ＴＥｏ）に実際に印加された無負荷駆動信号の周波数、位相、電圧（振幅）、または信号波形（信号の形状）などが、タッチ駆動信号（ＴＤＳ）の周波数、位相、電圧（振幅）、または信号波形（信号の形状）などと異なり得る。
【０１０３】
このように、無負荷駆動信号の出力状態と実際の印加状態が異なる程度は、パネル位置（すなわち、無負荷駆動信号が印加されるデータライン（ＤＬ）、ゲートライン（ＧＬ）、またはタッチ電極（ＴＥｏ）の水平または垂直位置）により異なり得る。
【０１０４】
このように、パネル特性および印加位置などにより、無負荷駆動信号の出力状態と実際の印加状態が異なることを考慮して、実際に印加された無負荷駆動信号が実際に印加されたタッチ駆動信号と同一となるように、タッチ駆動信号または無負荷駆動信号の出力状態を調節して出力することができる。
【０１０５】
したがって、タッチセンシング回路１２０から出力されるタッチ駆動信号と、無負荷駆動回路（例：タッチセンシング回路、データドライバー、またはゲートドライバーなど）から出力される無負荷駆動信号は、周波数、位相、電圧（振幅）および信号波形（信号の形状）などがすべて同一である場合もあり得、周波数、位相、電圧（振幅）および信号波形（信号の形状）などのうち少なくとも一つが互いに異なることもあり得る。
【０１０６】
一方、タッチ表示装置１００は、タッチ区間（ＴＳ）の間、単一周波数（例：数十ＫＨｚ〜数百ＫＨｚ）のパルスタイプからなるタッチ駆動信号（ＴＤＳ）を利用して複数のタッチ電極（ＴＥ）中の少なくとも一つを駆動すると、タッチ駆動信号（ＴＤＳ）の電圧レベルが変化により、ハーモニック（Ｈａｒｍｏｎｉｃ）周波数成分でＥＭＩ（Ｅｌｅｃｔｒｏ  Ｍａｇｎｅｔｉｃ  Ｉｎｔｅｒｆｅｒｅｎｃｅ）が発生する可能性がある。
【０１０７】
特に、タッチ表示装置１００は、タッチ区間（ＴＳ）の間、単一周波数（例：数十ＫＨｚ〜数百ＫＨｚ）のパルスタイプからなるタッチ駆動信号（ＴＤＳ）を利用して複数のタッチ電極（ＴＥ）中の少なくとも一つを駆動し、この時、他のタッチ電極（ＴＥｏ）、データライン（ＤＬ）およびゲートライン（ＧＬ）中の少なくとも一つに対する無負荷駆動をさらに遂行すると、タッチ駆動信号（ＴＤＳ）によるＥＭＩがさらに深刻化されて発生する可能性がある。
【０１０８】
図７は、本実施例に係るタッチ表示装置１００のタッチ区間（ＴＳ）でＥＭＩ（Ｅｌｅｃｔｒｏ  Ｍａｇｎｅｔｉｃ  Ｉｎｔｅｒｆｅｒｅｎｃｅ）測定結果を示した図面である。
【０１０９】
図７を参照すれば、一例として、タッチ表示装置１００が１００ＫＨｚの単一周波数を有するタッチ駆動信号（ＴＤＳ）を利用してタッチ電極（ＴＥ）を駆動する場合、タッチ駆動信号（ＴＤＳ）によりＡＭ（Ａｍｐｌｉｔｕｄｅ  Ｍｏｄｕｌａｔｉｏｎ）周波数領域（例：概略５００ＫＨｚ〜概略１，６０５ＫＨｚ）でＥＭＩが発生する可能性がある。
【０１１０】
図７は、周波数別ＥＭＩ信号の信号強度を測定して、ＥＭＩ信号の測定上限値７１０と測定平均値７２０を周波数別に示したグラフである。
【０１１１】
測定の結果、ＥＭＩ信号の測定上限値７１０がＡＭ周波数領域でＥＭＩ条件を満足させるための最小上限値である基準上限値７１１より大きく現れる地点７１２があることを確認することができる。
【０１１２】
また、測定の結果、ＥＭＩ信号の測定平均値７２０がＡＭ周波数領域でＥＭＩ条件を満足させるための最小平均値である基準平均値７２１より大きく現れる地点７２２があることを確認することができる。
【０１１３】
すなわち、測定の結果、ＡＭ周波数領域で、ＥＭＩ信号の測定上限値７１０および測定平均値７２０がＥＭＩ条件を満足させることができない状況が発生する可能性がある。
【０１１４】
そこで、本実施例に係るタッチ表示装置１００は、タッチ駆動信号（ＴＤＳ）によるＥＭＩ現象を減らすために、マルチ周波数駆動（Ｍｕｌｔｉ  Ｆｒｅｑｕｅｎｃｙ  Ｄｒｉｖｉｎｇ）方式を提供することができる。
【０１１５】
図８は、本実施例に係るタッチ表示装置１００のＥＭＩ改善のためのマルチ周波数駆動を説明するための図面である。
【０１１６】
図８を参照すれば、本実施例に係るタッチ表示装置１００のタッチセンシング回路１２０は、タッチ駆動信号（ＴＤＳ）の周波数を変更しながら二つ以上の周波数を有するタッチ駆動信号（ＴＤＳ）を利用してタッチ電極（ＴＥ）を駆動する。
【０１１７】
このようなタッチ駆動方式は、タッチ電極（ＴＥ）を駆動するためのタッチ駆動信号（ＴＤＳ）の周波数が二つ以上となる「マルチ周波数駆動（Ｍｕｌｔｉ  Ｆｒｅｑｕｅｎｃｙ  Ｄｒｉｖｉｎｇ）」方式に該当する。
【０１１８】
このようなマルチ周波数駆動によれば、タッチセンシング回路１２０から出力されるタッチ駆動信号（ＴＤＳ）は、周波数が変更され得る。
【０１１９】
前述した通り、マルチ周波数駆動によれば、タッチセンシング回路１２０から出力されるタッチ駆動信号（ＴＤＳ）の周波数が変更されることによってＥＭＩ分散現象が発生し、タッチ駆動信号（ＴＤＳ）によるＥＭＩ現象が緩和され得る。
【０１２０】
換言すれば、本実施例は、ＥＭＩ水準を改善させることができ、このために、マルチ周波数駆動方式のタッチ駆動を遂行できるタッチセンシング方法、タッチセンシング回路１２０およびタッチ表示装置１００を開示する。
【０１２１】
ここで、マルチ周波数駆動方式はタッチ駆動信号の周波数変更を通してのタッチ駆動方式であって、タッチ駆動信号の周波数変更は単一周波数を使用する区間（単位タッチ区間）の区間の長さを調節する技法、または単一周波数を使用する区間でパルス個数を調節する技法を通じてなされ得る。
【０１２２】
以下では、タッチ駆動信号（ＴＤＳ）の周波数変更を通じて、二つ以上の周波数を有するタッチ駆動信号（ＴＤＳ）を利用してタッチ電極（ＴＥ）を駆動するマルチ周波数駆動についてさらに詳細に説明する。
【０１２３】
図９は、本実施例に係るタッチ表示装置１００のマルチ周波数駆動特性を説明するために、単一周波数のタッチ駆動信号（ＴＤＳ）が出力される単位タッチ区間（ＵＴＳ）でのタッチ駆動信号（ＴＤＳ）の信号特性を説明するための図面である。
【０１２４】
タッチ駆動信号（ＴＤＳ）の周波数変更を通じて、二つ以上の周波数を有するタッチ駆動信号（ＴＤＳ）を利用してタッチ電極（ＴＥ）をマルチ周波数駆動する時、単一周波数のタッチ駆動信号（ＴＤＳ）を利用してタッチ電極（ＴＥ）を駆動する区間が存在する。このような区間を単位タッチ区間（ＵＴＳ）という。
【０１２５】
図９は、単位タッチ区間（ＵＴＳ）でのタッチ駆動信号（ＴＤＳ）を示した図面である。
【０１２６】
図９を参照すれば、単位タッチ区間（ＵＴＳ）は、定められた区間長さ（Ｔ）を有する。そして、単位タッチ区間（ＵＴＳ）でタッチセンシング回路１２０から出力されるパルスタイプのタッチ駆動信号（ＴＤＳ）は、定められた周波数（Ｆ）とパルス個数（Ｎ）を有する。
【０１２７】
そして、単位タッチ区間（ＵＴＳ）でタッチセンシング回路１２０から出力されるパルスタイプのタッチ駆動信号（ＴＤＳ）は、ハイレバル区間の長さ（ｘ）とローレベル区間の長さ（ｙ）により定義されるデューティ比（Ｄｕｔｙ  Ｒａｔｉｏ）を有する。
【０１２８】
タッチ駆動信号（ＴＤＳ）のデューティ比は、ｘ／（ｘ＋ｙ）であって、単位タッチ区間（ＵＴＳ）ごとに異なる場合もあれば、すべての単位タッチ区間（ＵＴＳ）で同一の場合もある。
【０１２９】
以下では、一例として、タッチ駆動信号（ＴＤＳ）のデューティ比は５０％であって、すべての単位タッチ区間（ＵＴＳ）で同一であると仮定する。すなわち、タッチ駆動信号（ＴＤＳ）でハイレバル区間の長さ（ｘ）とローレベル区間の長さ（ｙ）が同一であると仮定する。
【０１３０】
図１０〜図１３は、本実施例に係るタッチ表示装置１００がタッチ区間（ＴＳ）別にタッチ駆動信号（ＴＤＳ）の周波数を変更してマルチ周波数駆動を遂行する場合を示した図面で、図１４〜図１７は、本実施例に係るタッチ表示装置１００がタッチ区間（ＴＳ）内でタッチ駆動信号（ＴＤＳ）の周波数を変更してマルチ周波数駆動を遂行する場合を示した図面である。
【０１３１】
マルチ周波数駆動方式は、単位タッチ区間（ＵＴＳ）をいかに割り当てるかによって異なり得る。
【０１３２】
図１０〜図１３に図示された通り、一つのタッチ区間（ＴＳ）は、一つの単位タッチ区間（ＵＴＳ）と対応することができる。
【０１３３】
このように、一つのタッチ区間（ＴＳ）に一つの単位タッチ区間（ＵＴＳ）が存在する場合、一つの単位タッチ区間（ＵＴＳ）と対応する一つのタッチ区間（ＴＳ）では、タッチ駆動信号（ＴＤＳ）の周波数は同一であり、タッチ区間（ＴＳ）別にタッチ駆動信号（ＴＤＳ）の周波数が変更され得る。
【０１３４】
これとは異なり、図１４〜図１７に図示された通り、一つのタッチ区間（ＴＳ）は、ｋ（ｋは２以上の自然数）個以上の単位タッチ区間（ＵＴＳ）と対応することができる。
【０１３５】
このように、一つのタッチ区間（ＴＳ）に二以上の単位タッチ区間（ＵＴＳ）が存在する場合、一つのタッチ区間（ＴＳ）内で単位タッチ区間（ＵＴＳ）別にタッチ駆動信号（ＴＤＳ）の周波数が変更され得る。
【０１３６】
マルチ周波数駆動により、同じ周波数のタッチ駆動信号（ＴＤＳ）が出力される二以上の単位タッチ区間（ＵＴＳ）が存在する場合、二以上の単位タッチ区間（ＵＴＳ）それぞれから出力されるタッチ駆動信号（ＴＤＳ）の周波数が互いに異なる。
【０１３７】
二以上の単位タッチ区間（ＵＴＳ）それぞれから出力されるタッチ駆動信号（ＴＤＳ）の周波数は、該当単位タッチ区間（ＵＴＳ）の区間長さ（Ｔ）および該当単位タッチ区間（ＵＴＳ）でのタッチ駆動信号（ＴＤＳ）のパルス個数（Ｎ）により定義され得る。
【０１３８】
周波数変更のための第１技法によれば、二以上の単位タッチ区間（ＵＴＳ）それぞれの区間長さ（Ｔ）が同一であり、二以上の単位タッチ区間（ＵＴＳ）それぞれでのタッチ駆動信号（ＴＤＳ）のパルス個数（Ｎ）が互いに異なり得る。
【０１３９】
周波数変更のための第２技法によれば、二以上の単位タッチ区間（ＵＴＳ）それぞれの区間長さ（Ｔ）が互いに異なり、二以上の単位タッチ区間（ＵＴＳ）それぞれでのタッチ駆動信号（ＴＤＳ）のパルス個数（Ｎ）が同一であり得る。
【０１４０】
以下では、単位タッチ区間（ＵＴＳ）の割り当て方式によるマルチ周波数駆動方式をさらに詳細に説明する。
【０１４１】
まず、図１０〜図１３を参照して、一つのタッチ区間（ＴＳ）が一つの単位タッチ区間（ＵＴＳ）と対応する場合に対するマルチ周波数駆動方式を説明する。
【０１４２】
図１０を参照すれば、第１周波数（Ｆ１）のタッチ駆動信号（ＴＤＳ１）が出力される第１単位タッチ区間（ＵＴＳ１）と第２周波数（Ｆ２）のタッチ駆動信号（ＴＤＳ２）が出力される第２単位タッチ区間（ＵＴＳ２）が第１タッチ区間（ＴＳ１）と第２タッチ区間（ＴＳ２）にそれぞれ対応して存在する。
【０１４３】
第１単位タッチ区間（ＵＴＳ１）でタッチ駆動信号（ＴＤＳ１）の第１周波数（Ｆ１）と第２単位タッチ区間（ＵＴＳ２）でタッチ駆動信号（ＴＤＳ２）の第２周波数（Ｆ２）は互いに異なる。
【０１４４】
第１単位タッチ区間（ＵＴＳ１）でタッチ駆動信号（ＴＤＳ１）の第１周波数（Ｆ１）は、第１単位タッチ区間（ＵＴＳ１）の区間長さ（Ｔ１）および第１単位タッチ区間（ＵＴＳ１）でのパルス個数（Ｎ１）により下記の数学式１のように定義され得る。
【０１４５】
【数１】
2018005882.tif 000003
【０１４６】
第２単位タッチ区間（ＵＴＳ２）でタッチ駆動信号（ＴＤＳ２）の第２周波数（Ｆ２）は、第２単位タッチ区間（ＵＴＳ２）の区間長さ（Ｔ２）および第２単位タッチ区間（ＵＴＳ２）でのパルス個数（Ｎ２）により下記の数学式２のように定義され得る。
【０１４７】
【数２】
2018005882.tif 000004
【０１４８】
前述したことによれば、各単位タッチ区間（ＵＴＳ）でタッチ駆動信号（ＴＤＳ）のパルス個数（Ｎ）または各単位タッチ区間（ＵＴＳ）の区間長さ（Ｔ）を調節して、各単位タッチ区間（ＵＴＳ）でタッチ駆動信号（ＴＤＳ）の周波数（Ｆ）を効率的に変更することができる。
【０１４９】
図１１に図示された通り、各単位タッチ区間（ＵＴＳ）でタッチ駆動信号（ＴＤＳ）のパルス個数（Ｎ）を調節してタッチ駆動信号（ＴＤＳ）の周波数（Ｆ）を変更することができる。
【０１５０】
このようなパルス個数に基づいた周波数変更方式によれば、第１単位タッチ区間（ＵＴＳ１）の区間長さ（Ｔ１）と第２単位タッチ区間（ＵＴＳ２）の区間長さ（Ｔ２）は同一であり、第１単位タッチ区間（ＵＴＳ１）でのタッチ駆動信号（ＴＤＳ１）のパルス個数（Ｎ１）と第２単位タッチ区間（ＵＴＳ２）でのタッチ駆動信号（ＴＤＳ２）のパルス個数（Ｎ２）は異なる。
【０１５１】
図１１を参照すれば、第１単位タッチ区間（ＵＴＳ１）の区間長さ（Ｔ１）と同じ区間長さ（Ｔ２）の第２単位タッチ区間（ＵＴＳ２）の間、第１単位タッチ区間（ＵＴＳ１）でのタッチ駆動信号（ＴＤＳ１）のパルス個数（Ｎ１）よりも少ないパルス個数（Ｎ２）のタッチ駆動信号（ＴＤＳ２）を出力することによって、第２単位タッチ区間（ＵＴＳ２）でタッチ駆動信号（ＴＤＳ２）の第２周波数（Ｆ２）を第１単位タッチ区間（ＵＴＳ１）でタッチ駆動信号（ＴＤＳ１）の第１周波数（Ｆ１）より低くすることができる。
【０１５２】
前述した通り、パルス個数に基づいた周波数変更方式によれば、各単位タッチ区間（ＵＴＳ）の区間長さ（Ｔ）が同一であるため各周波数成分が時間的に均一に分散する効果があり、これによってＥＭＩ成分の効果的な分散によるＥＭＩ低減効果をさらに得ることができる。
【０１５３】
一方、図１２に図示された通り、各単位タッチ区間（ＵＴＳ）の区間長さ（Ｔ）を調節してタッチ駆動信号（ＴＤＳ）の周波数（Ｆ）を変更することができる。
【０１５４】
このような区間長さに基づいた周波数変更方式によれば、第１単位タッチ区間（ＵＴＳ１）でのタッチ駆動信号（ＴＤＳ１）のパルス個数（Ｎ１）と第２単位タッチ区間（ＵＴＳ２）でのタッチ駆動信号（ＴＤＳ２）のパルス個数（Ｎ２）は同一であり、第１単位タッチ区間（ＵＴＳ１）の区間長さ（Ｔ１）と第２単位タッチ区間（ＵＴＳ２）の区間長さ（Ｔ２）は異なる。
【０１５５】
図１２を参照すれば、第１単位タッチ区間（ＵＴＳ１）の区間長さ（Ｔ１）より長い区間長さ（Ｔ２）の第２単位タッチ区間（ＵＴＳ２）の間、第１単位タッチ区間（ＵＴＳ１）でタッチ駆動信号（ＴＤＳ１）のパルス個数（Ｎ１）と同じパルス個数（Ｎ２）のタッチ駆動信号（ＴＤＳ２）を出力することによって、第２単位タッチ区間（ＵＴＳ２）でタッチ駆動信号（ＴＤＳ２）の第２周波数（Ｆ２）を第１単位タッチ区間（ＵＴＳ１）でタッチ駆動信号（ＴＤＳ１）の第１周波数（Ｆ１）より低くすることができる。
【０１５６】
前述した通り、区間長さに基づいた周波数変更方式によれば、各単位タッチ区間（ＵＴＳ）のパルス個数（Ｎ）が同一であるため周波数変更のためのパルス生成が容易である長所がある。
【０１５７】
図１３は、本実施例に係るタッチ表示装置１００がタッチ区間（ＴＳ）別にタッチ駆動信号（ＴＤＳ）の周波数を変更してマルチ周波数駆動を遂行する場合、無負荷駆動（ＬＦＤ）を示した図面である。
【０１５８】
タッチ区間（ＴＳ）別にタッチ駆動信号（ＴＤＳ）の周波数を変更してマルチ周波数駆動を遂行する場合、複数のタッチ電極（ＴＥ）中の少なくとも一つにタッチ駆動信号（ＴＤＳ）が印加されるタッチ区間の間、複数のデータライン（ＤＬ）の全体または一部に無負荷駆動信号（Ｄ＿ＬＦＤＳ）が印加され得る。
【０１５９】
ここで、複数のデータライン（ＤＬ）の全体または一部に印加される無負荷駆動信号（Ｄ＿ＬＦＤＳ）は、タッチ駆動信号（ＴＤＳ）であるか、タッチ駆動信号（ＴＤＳ）の周波数、位相、または振幅が対応する信号であり得る。
【０１６０】
マルチ周波数駆動によりタッチ駆動信号（ＴＤＳ）の周波数がＦ１からＦ２に変わる場合、複数のデータライン（ＤＬ）の全体または一部に印加される無負荷駆動信号（Ｄ＿ＬＦＤＳ）の周波数もＦ１からＦ２にともに変更され得る。
【０１６１】
図１３を参照すれば、第１単位タッチ区間（ＵＴＳ１）から出力されるタッチ駆動信号（ＴＤＳ１）の第１周波数（Ｆ１）により第１単位タッチ区間（ＵＴＳ１）でデータライン（ＤＬ）から出力される無負荷駆動信号（Ｄ＿ＬＦＤＳ１）の周波数が決定され、第２単位タッチ区間（ＵＴＳ２）から出力されるタッチ駆動信号（ＴＤＳ２）の第２周波数（Ｆ２）により第２単位タッチ区間（ＵＴＳ２）でデータライン（ＤＬ）から出力される無負荷駆動信号（Ｄ＿ＬＦＤＳ２）の周波数が決定される。
【０１６２】
したがって、マルチ周波数駆動が進行されても、タッチ駆動信号（ＴＤＳ）が印加されたタッチ電極（ＴＥ）と無負荷駆動信号（Ｄ＿ＬＦＤＳ）が印加されたデータライン（ＤＬ）の間に電位差が発生しないため、タッチ駆動信号（ＴＤＳ）が印加されたタッチ電極（ＴＥｓ）とデータライン（ＤＬ）の間に寄生キャパシタンス（Ｃｐ１）が形成されることが防止され得る。
【０１６３】
また、タッチ区間（ＴＳ）別にタッチ駆動信号（ＴＤＳ）の周波数を変更してマルチ周波数駆動を遂行する場合、複数のタッチ電極（ＴＥ）中の少なくとも一つにタッチ駆動信号（ＴＤＳ）が印加されるタッチ区間の間、複数のゲートライン（ＧＬ）の全体または一部に無負荷駆動信号（Ｇ＿ＬＦＤＳ）が印加され得る。
【０１６４】
複数のゲートライン（ＧＬ）の全体または一部に印加される無負荷駆動信号（Ｇ＿ＬＦＤＳ）は、タッチ駆動信号（ＴＤＳ）であるか、タッチ駆動信号（ＴＤＳ）の周波数、位相、または振幅が対応する信号であり得る。
【０１６５】
マルチ周波数駆動によりタッチ駆動信号（ＴＤＳ）の周波数が変わる場合、複数のゲートライン（ＧＬ）の全体または一部に印加される無負荷駆動信号（Ｇ＿ＬＦＤＳ）の周波数もともに変更され得る。
【０１６６】
図１３を参照すれば、第１単位タッチ区間（ＵＴＳ１）から出力されるタッチ駆動信号（ＴＤＳ１）の第１周波数（Ｆ１）により第１単位タッチ区間（ＵＴＳ１）でゲートライン（ＧＬ）から出力される無負荷駆動信号（Ｇ＿ＬＦＤＳ１）の周波数が決定され、第２単位タッチ区間（ＵＴＳ２）から出力されるタッチ駆動信号（ＴＤＳ２）の第２周波数（Ｆ２）により第２単位タッチ区間（ＵＴＳ２）でゲートライン（ＧＬ）から出力される無負荷駆動信号（Ｇ＿ＬＦＤＳ２）の周波数が決定され得る。
【０１６７】
したがって、マルチ周波数駆動が進行されても、タッチ駆動信号（ＴＤＳ）が印加されたタッチ電極（ＴＥｓ）と無負荷駆動信号（Ｇ＿ＬＦＤＳ）が印加されたゲートライン（ＧＬ）との間に電位差が発生しないため、タッチ駆動信号（ＴＤＳ）が印加されたタッチ電極（ＴＥｓ）とゲートライン（ＧＬ）の間に寄生キャパシタンス（Ｃｐ２）が形成されることが防止され得る。
【０１６８】
また、タッチ区間（ＴＳ）別にタッチ駆動信号（ＴＤＳ）の周波数を変更してマルチ周波数駆動を遂行する場合、複数のタッチ電極（ＴＥ）中の少なくとも一つにタッチ駆動信号（ＴＤＳ）が印加される間、残りのタッチ電極（ＴＥ）の全体または一部に無負荷駆動信号（Ｔ＿ＬＦＤＳ）が印加され得る。
【０１６９】
残りのタッチ電極（ＴＥ）の全体または一部に印加される無負荷駆動信号（Ｔ＿ＬＦＤＳ）は、タッチ駆動信号（ＴＤＳ）であるか、タッチ駆動信号（ＴＤＳ）の周波数、位相、または振幅が対応する信号であり得る。
【０１７０】
マルチ周波数駆動によりタッチ駆動信号（ＴＤＳ）の周波数が変わる場合、残りのタッチ電極（ＴＥ）の全体または一部に印加される無負荷駆動信号（Ｔ＿ＬＦＤＳ）の周波数もともに変更され得る。
【０１７１】
図１３を参照すれば、第１単位タッチ区間（ＵＴＳ１）から出力されるタッチ駆動信号（ＴＤＳ１）の第１周波数（Ｆ１）により第１単位タッチ区間（ＵＴＳ１）で他のタッチ電極（ＴＥ）から出力される無負荷駆動信号（Ｔ＿ＬＦＤＳ１）の周波数が決定され、第２単位タッチ区間（ＵＴＳ２）から出力されるタッチ駆動信号（ＴＤＳ２）の第２周波数（Ｆ２）により第２単位タッチ区間（ＵＴＳ２）で他のタッチ電極（ＴＥ）から出力される無負荷駆動信号（Ｔ＿ＬＦＤＳ２）の周波数が決定され得る。
【０１７２】
したがって、マルチ周波数駆動が進行されても、タッチ駆動信号（ＴＤＳ）が印加されたタッチ電極（ＴＥｓ）と無負荷駆動信号（Ｔ＿ＬＦＤＳ）が印加された他のタッチ電極（ＴＥｏ）の間に電位差が発生しないため、タッチ駆動信号（ＴＤＳ）が印加されたタッチ電極（ＴＥｓ）と他のタッチ電極（ＴＥｏ）の間に寄生キャパシタンス（Ｃｐ３）が形成されることが防止され得る。
【０１７３】
次に、図１４〜図１７を参照して、一つのタッチ区間（ＴＳ）が二以上の単位タッチ区間（ＵＴＳ）と対応する場合に対するマルチ周波数駆動方式を説明する。
【０１７４】
ただし、以下では、一つのタッチ区間（ＴＳ）が３個の単位タッチ区間（ＵＴＳ１、ＵＴＳ２、ＵＴＳ３）と対応する場合を例にして説明する。また、第１単位タッチ区間（ＵＴＳ１）でタッチ駆動信号（ＴＤＳ１）の第１周波数（Ｆ１）と、第２単位タッチ区間（ＵＴＳ２）でタッチ駆動信号（ＴＤＳ２）の第２周波数（Ｆ２）と、第３単位タッチ区間（ＵＴＳ３）でタッチ駆動信号（ＴＤＳ３）の第３周波数（Ｆ３）がすべて異なる場合を例にして説明する。
【０１７５】
図１４を参照すれば、一つのタッチ区間（ＴＳ）に、第１周波数（Ｆ１）のタッチ駆動信号（ＴＤＳ１）が出力される第１単位タッチ区間（ＵＴＳ１）と、第２周波数（Ｆ２）のタッチ駆動信号（ＴＤＳ２）が出力される第２単位タッチ区間（ＵＴＳ２）と、第２周波数（Ｆ３）のタッチ駆動信号（ＴＤＳ３）が出力される第２単位タッチ区間（ＵＴＳ３）が存在する。
【０１７６】
第１単位タッチ区間（ＵＴＳ１）でタッチ駆動信号（ＴＤＳ１）の第１周波数（Ｆ１）と、第２単位タッチ区間（ＵＴＳ２）でタッチ駆動信号（ＴＤＳ２）の第２周波数（Ｆ２）と、第３単位タッチ区間（ＵＴＳ３）でタッチ駆動信号（ＴＤＳ３）の第３周波数（Ｆ３）がすべて同じであることはない。
【０１７７】
すなわち、第１周波数（Ｆ１）、第２周波数（Ｆ２）および第３周波数（Ｆ３）がすべて異なるか、第１周波数（Ｆ１）、第２周波数（Ｆ２）および第３周波数（Ｆ３）中の二つ（Ｆ１とＦ２、Ｆ１とＦ３、またはＦ２とＦ３）は同一で一つ（Ｆ３、Ｆ２、またはＦ１）は異なることもある。
【０１７８】
第１単位タッチ区間（ＵＴＳ１）でタッチ駆動信号（ＴＤＳ１）の第１周波数（Ｆ１）は、第１単位タッチ区間（ＵＴＳ１）の区間長さ（Ｔ１）および第１単位タッチ区間（ＵＴＳ１）でのパルス個数（Ｎ１）により定義され得る。
【０１７９】
第２単位タッチ区間（ＵＴＳ２）でタッチ駆動信号（ＴＤＳ２）の第２周波数（Ｆ２）は、第２単位タッチ区間（ＵＴＳ２）の区間長さ（Ｔ２）および第２単位タッチ区間（ＵＴＳ２）でのパルス個数（Ｎ２）により定義され得る。
【０１８０】
第３単位タッチ区間（ＵＴＳ３）でタッチ駆動信号（ＴＤＳ３）の第３周波数（Ｆ３）は、第３単位タッチ区間（ＵＴＳ３）の区間長さ（Ｔ３）および第３単位タッチ区間（ＵＴＳ３）でのパルス個数（Ｎ３）により定義され得る。
【０１８１】
前述したことによれば、各単位タッチ区間（ＵＴＳ）でタッチ駆動信号（ＴＤＳ）のパルス個数（Ｎ）または各単位タッチ区間（ＵＴＳ）の区間長さ（Ｔ）を調節して、各単位タッチ区間（ＵＴＳ）でタッチ駆動信号（ＴＤＳ）の周波数（Ｆ）を効率的に変更することができる。
【０１８２】
図１５に図示された通り、各単位タッチ区間（ＵＴＳ）でタッチ駆動信号（ＴＤＳ）のパルス個数（Ｎ）を調節してタッチ駆動信号（ＴＤＳ）の周波数（Ｆ）を変更することができる。
【０１８３】
このようなパルス個数に基づいた周波数変更方式によれば、第１単位タッチ区間（ＵＴＳ１）の区間長さ（Ｔ１）と第２単位タッチ区間（ＵＴＳ２）の区間長さ（Ｔ２）と第３単位タッチ区間（ＵＴＳ３）の区間長さ（Ｔ３）は同一であり得る。
【０１８４】
しかし、第１単位タッチ区間（ＵＴＳ１）でのタッチ駆動信号（ＴＤＳ１）のパルス個数（Ｎ１）と第２単位タッチ区間（ＵＴＳ２）でのタッチ駆動信号（ＴＤＳ２）のパルス個数（Ｎ２）と第３単位タッチ区間（ＵＴＳ３）でのタッチ駆動信号（ＴＤＳ３）のパルス個数（Ｎ３）は、すべて同じであることはない。
【０１８５】
すなわち、Ｎ１、Ｎ２およびＮ３がすべて異なるか、Ｎ１、Ｎ２およびＮ３中の２個は同一で１個は異なることもある。
【０１８６】
図１５を参照すれば、第１単位タッチ区間（ＵＴＳ１）の区間長さ（Ｔ１）と同じ区間長さ（Ｔ２）の第２単位タッチ区間（ＵＴＳ２）の間、第１単位タッチ区間（ＵＴＳ１）でのタッチ駆動信号（ＴＤＳ１）のパルス個数（Ｎ１）よりも少ないパルス個数（Ｎ２）のタッチ駆動信号（ＴＤＳ２）を出力することによって、第２単位タッチ区間（ＵＴＳ２）でタッチ駆動信号（ＴＤＳ２）の第２周波数（Ｆ２）を第１単位タッチ区間（ＵＴＳ１）でタッチ駆動信号（ＴＤＳ１）の第１周波数（Ｆ１）より低くすることができる。
【０１８７】
また、第２単位タッチ区間（ＵＴＳ２）の区間長さ（Ｔ２）と同じ区間長さ（Ｔ３）の第３単位タッチ区間（ＵＴＳ３）の間、第１単位タッチ区間（ＵＴＳ１）でのタッチ駆動信号（ＴＤＳ１）のパルス個数（Ｎ１）より少ない、第２単位タッチ区間（ＵＴＳ２）でのタッチ駆動信号（ＴＤＳ２）のパルス個数（Ｎ２）よりも多くパルス個数（Ｎ３）のタッチ駆動信号（ＴＤＳ３）を出力することによって、第２単位タッチ区間（ＵＴＳ２）でタッチ駆動信号（ＴＤＳ２）の第２周波数（Ｆ２）より高く、第１単位タッチ区間（ＵＴＳ１）でタッチ駆動信号（ＴＤＳ１）の第１周波数（Ｆ１）より低くすることができる。
【０１８８】
前述した通り、パルス個数に基づいた周波数変更方式によれば、各単位タッチ区間（ＵＴＳ）の区間長さ（Ｔ）が同一であるため各周波数成分が時間的に同一に分散する効果があり、これによってＥＭＩ成分の分散によるＥＭＩ低減効果をさらに得ることができる。
【０１８９】
一方、図１６に図示された通り、各単位タッチ区間（ＵＴＳ）の区間長さ（Ｔ）を調節してタッチ駆動信号（ＴＤＳ）の周波数（Ｆ）を変更することができる。
【０１９０】
このような区間長さに基づいた周波数変更方式によれば、第１単位タッチ区間（ＵＴＳ１）でのタッチ駆動信号（ＴＤＳ１）のパルス個数（Ｎ１）と、第２単位タッチ区間（ＵＴＳ２）でのタッチ駆動信号（ＴＤＳ２）のパルス個数（Ｎ２）と、第３単位タッチ区間（ＵＴＳ３）でのタッチ駆動信号（ＴＤＳ３）のパルス個数（Ｎ３）はすべて同一であり得る。
【０１９１】
第１単位タッチ区間（ＵＴＳ１）の区間長さ（Ｔ１）と、第２単位タッチ区間（ＵＴＳ２）の区間長さ（Ｔ２）と、第３単位タッチ区間（ＵＴＳ３）の区間長さ（Ｔ３）はすべて同一でないこともある。
【０１９２】
すなわち、Ｔ１、Ｔ２およびＴ３がすべて異なるか、Ｔ１、Ｔ２およびＴ３中の２個は同一で１個は異なることもある。
【０１９３】
図１６を参照すれば、第１単位タッチ区間（ＵＴＳ１）の区間長さ（Ｔ１）より長い区間長さ（Ｔ２）の第２単位タッチ区間（ＵＴＳ２）の間、第１単位タッチ区間（ＵＴＳ１）でタッチ駆動信号（ＴＤＳ１）のパルス個数（Ｎ１）と同じパルス個数（Ｎ２）のタッチ駆動信号（ＴＤＳ２）を出力することによって、第２単位タッチ区間（ＵＴＳ２）でタッチ駆動信号（ＴＤＳ２）の第２周波数（Ｆ２）を第１単位タッチ区間（ＵＴＳ１）でタッチ駆動信号（ＴＤＳ１）の第１周波数（Ｆ１）より低くすることができる。
【０１９４】
また、第２単位タッチ区間（ＵＴＳ２）の区間長さ（Ｔ２）より短く、第１単位タッチ区間（ＵＴＳ１）の区間長さ（Ｔ１）より長い区間長さ（Ｔ３）の第３単位タッチ区間（ＵＴＳ３）の間、第２単位タッチ区間（ＵＴＳ２）でタッチ駆動信号（ＴＤＳ２）のパルス個数（Ｎ２）と同じパルス個数（Ｎ３）のタッチ駆動信号（ＴＤＳ３）を出力することによって、第３単位タッチ区間（ＵＴＳ３）でタッチ駆動信号（ＴＤＳ３）の第３周波数（Ｆ３）を第２単位タッチ区間（ＵＴＳ２）でタッチ駆動信号（ＴＤＳ２）の第２周波数（Ｆ２）より高く、第１単位タッチ区間（ＵＴＳ１）でタッチ駆動信号（ＴＤＳ１）の第１周波数（Ｆ１）より低くすることができる。
【０１９５】
前述した通り、区間長さに基づいた周波数変更方式によれば、各単位タッチ区間（ＵＴＳ）のパルス個数（Ｎ）が同一であるため周波数変更のためのパルス生成が容易である長所がある。
【０１９６】
図１７は本実施例に係るタッチ表示装置１００がタッチ区間内でタッチ駆動信号（ＴＤＳ）の周波数を変更してマルチ周波数駆動を遂行する場合、無負荷駆動を示した図面である。
【０１９７】
タッチ区間（ＴＳ）内で、単位タッチ区間（ＵＴＳ１、ＵＴＳ２、ＵＴＳ２）別にタッチ駆動信号（ＴＤＳ１、ＴＤＳ２、ＴＤＳ３）の周波数を変更してマルチ周波数駆動を遂行する場合、複数のタッチ電極（ＴＥ）中の少なくとも一つにタッチ駆動信号（ＴＤＳ１、ＴＤＳ２、ＴＤＳ２）が印加されるタッチ区間（ＴＳ）の間、複数のデータライン（ＤＬ）の全体または一部に無負荷駆動信号（Ｄ＿ＬＦＤＳ１、Ｄ＿ＬＦＤＳ２、Ｄ＿ＬＦＤＳ３）が印加され得る。
【０１９８】
ここで、複数のデータライン（ＤＬ）の全体または一部に印加される無負荷駆動信号（Ｄ＿ＬＦＤＳ１、Ｄ＿ＬＦＤＳ２、Ｄ＿ＬＦＤＳ３）は、タッチ駆動信号（ＴＤＳ１、ＴＤＳ２、ＴＤＳ３）であるか、タッチ駆動信号（ＴＤＳ１、ＴＤＳ２、ＴＤＳ３）の周波数および位相が対応する信号であり得る。
【０１９９】
マルチ周波数駆動によりタッチ駆動信号（ＴＤＳ１、ＴＤＳ２、ＴＤＳ３）の周波数がＦ１、Ｆ２およびＦ３に変わる場合、複数のデータライン（ＤＬ）の全体または一部に印加される無負荷駆動信号（Ｄ＿ＬＦＤＳ１、Ｄ＿ＬＦＤＳ２、Ｄ＿ＬＦＤＳ３）の周波数もＦ１、Ｆ２およびＦ３にともに変更され得る。
【０２００】
すなわち、単位タッチ区間変更によりタッチ駆動信号（ＴＤＳ１、ＴＤＳ２、ＴＤＳ３）の周波数が変更されると、複数のデータライン（ＤＬ）の全体または一部に印加される無負荷駆動信号（Ｄ＿ＬＦＤＳ１、Ｄ＿ＬＦＤＳ２、Ｄ＿ＬＦＤＳ３）の周波数も同期化されて変更され得る。
【０２０１】
図１７を参照すれば、第１単位タッチ区間（ＵＴＳ１）から出力されるタッチ駆動信号（ＴＤＳ１）の第１周波数（Ｆ１）により第１単位タッチ区間（ＵＴＳ１）でデータライン（ＤＬ）から出力される無負荷駆動信号（Ｄ＿ＬＦＤＳ１）の周波数が決定され、第２単位タッチ区間（ＵＴＳ２）から出力されるタッチ駆動信号（ＴＤＳ２）の第２周波数（Ｆ２）により第２単位タッチ区間（ＵＴＳ２）でデータライン（ＤＬ）から出力される無負荷駆動信号（Ｄ＿ＬＦＤＳ２）の周波数も決定され、第３単位タッチ区間（ＵＴＳ３）から出力されるタッチ駆動信号（ＴＤＳ３）の第３周波数（Ｆ３）により第３単位タッチ区間（ＵＴＳ３）でデータライン（ＤＬ）から出力される無負荷駆動信号（Ｄ＿ＬＦＤＳ３）の周波数も決定され得る。
【０２０２】
したがって、マルチ周波数駆動が進行されても、タッチ駆動信号（ＴＤＳ１、ＴＤＳ２、ＴＤＳ３）が印加されたタッチ電極（ＴＥ）と無負荷駆動信号（Ｄ＿ＬＦＤＳ１、Ｄ＿ＬＦＤＳ２、Ｄ＿ＬＦＤＳ３）が印加されたデータライン（ＤＬ）の間に電位差が発生しないため、タッチ駆動信号（ＴＤＳ）が印加されたタッチ電極（ＴＥｓ）と無負荷駆動信号（Ｄ＿ＬＦＤＳ１、Ｄ＿ＬＦＤＳ２、Ｄ＿ＬＦＤＳ３）が印加されたデータライン（ＤＬ）の間に寄生キャパシタンス（Ｃｐ１）が形成されることが防止され得る。
【０２０３】
また、タッチ区間（ＴＳ）内で、単位タッチ区間（ＵＴＳ１、ＵＴＳ２、ＵＴＳ３）別にタッチ駆動信号（ＴＤＳ１、ＴＤＳ２、ＴＤＳ３）の周波数を変更してマルチ周波数駆動を遂行する場合、複数のタッチ電極（ＴＥ）中の少なくとも一つにタッチ駆動信号（ＴＤＳ１、ＴＤＳ２、ＴＤＳ３）が印加されるタッチ区間（ＴＳ）の間、複数のゲートライン（ＧＬ）の全体または一部に無負荷駆動信号（Ｇ＿ＬＦＤＳ１、Ｇ＿ＬＦＤＳ２、Ｇ＿ＬＦＤＳ３）が印加され得る。
【０２０４】
複数のゲートライン（ＧＬ）の全体または一部に印加される無負荷駆動信号（Ｇ＿ＬＦＤＳ１、Ｇ＿ＬＦＤＳ２、Ｇ＿ＬＦＤＳ３）は、タッチ駆動信号（ＴＤＳ１、ＴＤＳ２、ＴＤＳ３）であるか、タッチ駆動信号（ＴＤＳ１、ＴＤＳ２、ＴＤＳ３）の周波数および位相が対応する信号であり得る。
【０２０５】
マルチ周波数駆動によりタッチ駆動信号（ＴＤＳ１、ＴＤＳ２、ＴＤＳ３）の周波数が変わる場合、複数のゲートライン（ＧＬ）の全体または一部に印加される無負荷駆動信号（Ｇ＿ＬＦＤＳ１、Ｇ＿ＬＦＤＳ２、Ｇ＿ＬＦＤＳ３）の周波数もともに変更され得る。
【０２０６】
すなわち、単位タッチ区間変更によりタッチ駆動信号（ＴＤＳ１、ＴＤＳ２、ＴＤＳ３）の周波数が変更されると、複数のゲートライン（ＧＬ）の全体または一部に印加される無負荷駆動信号（Ｇ＿ＬＦＤＳ１、Ｇ＿ＬＦＤＳ２、Ｇ＿ＬＦＤＳ３）の周波数も同期化されて変更され得る。
【０２０７】
図１７を参照すれば、第１単位タッチ区間（ＵＴＳ１）から出力されるタッチ駆動信号（ＴＤＳ１）の第１周波数（Ｆ１）により第１単位タッチ区間（ＵＴＳ１）でゲートライン（ＧＬ）から出力される無負荷駆動信号（Ｇ＿ＬＦＤＳ１）の周波数が決定され、第２単位タッチ区間（ＵＴＳ２）から出力されるタッチ駆動信号（ＴＤＳ２）の第２周波数（Ｆ２）により第２単位タッチ区間（ＵＴＳ２）でゲートライン（ＧＬ）から出力される無負荷駆動信号（Ｇ＿ＬＦＤＳ２）の周波数が決定され、第３単位タッチ区間（ＵＴＳ３）から出力されるタッチ駆動信号（ＴＤＳ３）の第３周波数（Ｆ３）により第３単位タッチ区間（ＵＴＳ３）でゲートライン（ＧＬ）から出力される無負荷駆動信号（Ｇ＿ＬＦＤＳ３）の周波数が決定され得る。
【０２０８】
したがって、マルチ周波数駆動が進行されても、タッチ駆動信号（ＴＤＳ１、ＴＤＳ２、ＴＤＳ３）が印加されたタッチ電極（ＴＥｓ）と無負荷駆動信号（Ｇ＿ＬＦＤＳ１、Ｇ＿ＬＦＤＳ２、Ｇ＿ＬＦＤＳ３）が印加されたゲートライン（ＧＬ）の間に電位差が発生しないため、タッチ駆動信号（ＴＤＳ１、ＴＤＳ２、ＴＤＳ３）が印加されたタッチ電極（ＴＥｓ）と無負荷駆動信号（Ｇ＿ＬＦＤＳ１、Ｇ＿ＬＦＤＳ２、Ｇ＿ＬＦＤＳ３）が印加されたゲートライン（ＧＬ）の間に寄生キャパシタンス（Ｃｐ２）が形成されることが防止され得る。
【０２０９】
また、タッチ区間（ＴＳ）内で、単位タッチ区間（ＵＴＳ）別にタッチ駆動信号（ＴＤＳ１、ＴＤＳ２、ＴＤＳ３）の周波数を変更してマルチ周波数駆動を遂行する場合、複数のタッチ電極（ＴＥ）中の少なくとも一つにタッチ駆動信号（ＴＤＳ１、ＴＤＳ２、ＴＤＳ３）が印加されるタッチ区間（ＴＳ）の間、残りのタッチ電極（ＴＥ）の全体または一部に無負荷駆動信号（Ｔ＿ＬＦＤＳ、Ｔ＿ＬＦＤＳ２、Ｔ＿ＬＦＤＳ３）が印加され得る。
【０２１０】
残りのタッチ電極（ＴＥ）の全体または一部に印加される無負荷駆動信号（Ｔ＿ＬＦＤＳ、Ｔ＿ＬＦＤＳ２、Ｔ＿ＬＦＤＳ３）は、タッチ駆動信号（ＴＤＳ）やタッチ駆動信号（ＴＤＳ１、ＴＤＳ２、ＴＤＳ３）の周波数および位相が対応する信号であり得る。
【０２１１】
マルチ周波数駆動によりタッチ駆動信号（ＴＤＳ１、ＴＤＳ２、ＴＤＳ３）の周波数が変わる場合、残りのタッチ電極（ＴＥ）の全体または一部に印加される無負荷駆動信号（Ｔ＿ＬＦＤＳ、Ｔ＿ＬＦＤＳ２、Ｔ＿ＬＦＤＳ３）の周波数もともに変更され得る。
【０２１２】
すなわち、単位タッチ区間変更によりタッチ駆動信号（ＴＤＳ１、ＴＤＳ２、ＴＤＳ３）の周波数が変更されると、残りのタッチ電極の全体または一部に印加される無負荷駆動信号（Ｔ＿ＬＦＤＳ、Ｔ＿ＬＦＤＳ２、Ｔ＿ＬＦＤＳ３）の周波数も同期化されて変更され得る。
【０２１３】
図１７を参照すれば、第１単位タッチ区間（ＵＴＳ１）から出力されるタッチ駆動信号（ＴＤＳ１）の第１周波数（Ｆ１）により第１単位タッチ区間（ＵＴＳ１）で他のタッチ電極（ＴＥ）から出力される無負荷駆動信号（Ｔ＿ＬＦＤＳ１）の周波数が決定され、第２単位タッチ区間（ＵＴＳ２）から出力されるタッチ駆動信号（ＴＤＳ２）の第２周波数（Ｆ２）により第２単位タッチ区間（ＵＴＳ２）で他のタッチ電極（ＴＥ）から出力される無負荷駆動信号（Ｔ＿ＬＦＤＳ２）の周波数が決定され、第３単位タッチ区間（ＵＴＳ３）から出力されるタッチ駆動信号（ＴＤＳ３）の第３周波数（Ｆ３）により第３単位タッチ区間（ＵＴＳ３）で他のタッチ電極（ＴＥ）から出力される無負荷駆動信号（Ｔ＿ＬＦＤＳ３）の周波数が決定され得る。
【０２１４】
したがって、マルチ周波数駆動が進行されても、タッチ駆動信号（ＴＤＳ１、ＴＤＳ２、ＴＤＳ３）が印加されたタッチ電極（ＴＥｓ）と無負荷駆動信号（Ｔ＿ＬＦＤＳ、Ｔ＿ＬＦＤＳ２、Ｔ＿ＬＦＤＳ３）が印加された他のタッチ電極（ＴＥｏ）との間に電位差が発生しないため、タッチ駆動信号（ＴＤＳ１、ＴＤＳ２、ＴＤＳ３）が印加されたタッチ電極（ＴＥｓ）と無負荷駆動信号（Ｔ＿ＬＦＤＳ、Ｔ＿ＬＦＤＳ２、Ｔ＿ＬＦＤＳ３）が印加された他のタッチ電極（ＴＥｏ）の間に寄生キャパシタンス（Ｃｐ３）が形成されることが防止され得る。
【０２１５】
前述した通り、ディスプレイモードのためのディスプレイ区間（ＤＳ）とタッチモードのためのタッチ区間（ＴＳ）は、時間的に分離されて存在することができる。
【０２１６】
一方、ディスプレイモードとタッチモードが同時に進行されることもある。
【０２１７】
このように、ディスプレイモードとタッチモードが同時に進行される場合、ディスプレイモードのためのディスプレイ区間（ＤＳ）とタッチモードのためのタッチ区間（ＴＳ）は、一致することもある。
【０２１８】
この場合、ディスプレイモードとタッチモードが同時に進行される区間をディスプレイ区間（ＤＳ）ということもでき、タッチ区間（ＴＳ）とも、共通モード区間または同時モード区間などともいうことができる。
【０２１９】
ディスプレイモードとタッチモードが同時に進行される区間で、タッチ電極（ＴＥ）はタッチセンサとしての役割とディスプレイ駆動電極（例：共通電圧（Ｃｏｍｍｏｎ  Ｖｏｌｔａｇｅ）が印加される共通電極）の役割を同時に遂行する。
【０２２０】
同じ周波数のタッチ駆動信号（ＴＤＳ）が出力される単位タッチ区間（ＵＴＳ）が二以上存在することができる。
【０２２１】
二以上の単位タッチ区間（ＵＴＳ）は、一つのタッチ区間（ＴＳ）にすべて存在することもでき、それぞれ異なるタッチ区間（ＴＳ）に分離されて存在することもできる。
【０２２２】
例えば、図１０に図示された通り、第１単位タッチ区間（ＵＴＳ１）と第２単位タッチ区間（ＵＴＳ２）は、それぞれ異なるタッチ区間（ＴＳ１、ＴＳ２）に分離されて存在することができる。すなわち、第１単位タッチ区間（ＵＴＳ１）は、第１タッチ区間（ＴＳ１）と対応して存在し、第２単位タッチ区間（ＵＴＳ２）は、第２タッチ区間（ＴＳ２）と対応して存在することができる。
【０２２３】
図１４に図示された通り、第１単位タッチ区間（ＵＴＳ１）と第２単位タッチ区間（ＵＴＳ２）は、一つのタッチ区間（ＴＳ）に一緒に存在することができる。
【０２２４】
前述した通り、単一周波数のタッチ駆動信号（ＴＤＳ）を利用してタッチ電極（ＴＥ）を駆動する区間である単位タッチ区間（ＵＴＳ）の割り当て方式を異ならせることによって、タッチ駆動信号（ＴＤＳ）の周波数が変更される周期と、タッチ駆動信号（ＴＤＳ）の周波数が同一に維持される区間の長さ（単位タッチ区間（ＵＴＳ）の区間長さ）を調節することができる。これを通じて、周波数変更を実行する構成の性能またはタッチセンシング性能などを考慮して効果的なマルチ周波数駆動を提供することができる。
【０２２５】
図１０〜図１３を参照して説明したタッチ区間別周波数変更を通してのマルチ周波数駆動は、図３のＶ−センシング方式と図４のＨ−センシング方式のそれぞれにすべて適用することができる。
【０２２６】
図１４〜図１７を参照して説明したタッチ区間内周波数変更を通してのマルチ周波数駆動は、図３のＶ−センシング方式と図４のＨ−センシング方式のそれぞれにすべて適用することができる。
【０２２７】
図１８は実施例に係るタッチ表示装置１００がＶ−センシング方式下でタッチ区間別周波数変更を通してのマルチ周波数駆動（図１０〜図１３）を遂行する場合を示した図面で、図１９は、本実施例に係るタッチ表示装置１００がＶ−センシング方式下でタッチ区間内周波数変更を通してのマルチ周波数駆動（図１４〜図１７）を遂行する場合を示した図面である。
【０２２８】
図１８および図１９を参照すれば、Ｖ−センシング方式でタッチ駆動およびセンシングをする場合、一フレーム区間に一つのディスプレイ区間（ＤＳ）が存在することができ、一つまたは二以上のタッチ区間（ＴＳ）が存在することができる。
【０２２９】
Ｖ−センシング方式は、ディスプレイ駆動されない区間でタッチ駆動がなされるためＶ−Ｂｌａｎｋ駆動ともいう。
【０２３０】
図１８に図示された通り、一フレーム区間に一つのタッチ区間が存在する場合、すなわち、タッチセンシング回路１２０がＶ−センシング方式をタッチ駆動およびセンシングを遂行する場合に、タッチ区間別で周波数を変更してマルチ周波数駆動を遂行すると、二以上の単位タッチ区間（ＵＴＳ１、ＵＴＳ２）は、それぞれ異なるタッチ区間（ＴＳ１、ＴＳ２）に分離されて存在することができる。
【０２３１】
図１９に図示された通り、一フレーム区間に一つのタッチ区間が存在する場合、すなわち、タッチセンシング回路１２０がＶ−センシング方式をタッチ駆動およびセンシングを遂行する場合に、タッチ区間内で周波数を変更してマルチ周波数駆動を遂行すると、二以上の単位タッチ区間（ＵＴＳ１、ＵＴＳ２、ＵＴＳ３）は、一つのタッチ区間（ＴＳ）にすべて存在することができる。
【０２３２】
換言すれば、一フレーム区間に含まれた一つのタッチ区間（ＴＳ）を３個の単位タッチ区間（ＵＴＳ１、ＵＴＳ２、ＵＴＳ３）に分割すると、第１周波数（Ｆ１）のタッチ駆動信号（ＴＤＳ１）を利用してタッチ駆動が進行される第１単位タッチ区間（ＵＴＳ１）と、第２周波数（Ｆ１２）のタッチ駆動信号（ＴＤＳ２）を利用してタッチ駆動が進行される第２単位タッチ区間（ＵＴＳ２）と、第３周波数（Ｆ３）のタッチ駆動信号（ＴＤＳ３）を利用してタッチ駆動が進行される第３単位タッチ区間（ＵＴＳ３）は、一つのタッチ区間（ＴＳ）に一緒に存在することができる。
【０２３３】
前述したマルチ周波数駆動を通じて、本実施例に係るタッチ表示装置１００がディスプレイ性能およびタッチ性能などを考慮してＶ−センシング方式でタッチ駆動およびセンシングを遂行しながらもＥＭＩ改善効果を得ることができる。
【０２３４】
図２０および図２１は、本実施例に係るタッチ表示装置１００がＨ−センシング方式下でマルチ周波数駆動を遂行する場合を示した図面である。
【０２３５】
図２０を参照すれば、本実施例に係るタッチ表示装置１００がＨ−センシング方式でタッチ駆動およびセンシングを遂行すると、一フレーム区間に二以上のディスプレイ区間と二以上のタッチ区間が存在することができる。
【０２３６】
この時、タッチ区間（ＴＳ）別にタッチ駆動信号（ＴＤＳ）の周波数を変更する場合、二以上の単位タッチ区間（ＵＴＳ１、ＵＴＳ２）は、二以上のタッチ区間（ＴＳ１、ＴＳ２）に分離されて存在することができる。
【０２３７】
前述したマルチ周波数駆動を通じて、本実施例に係るタッチ表示装置１００は、ディスプレイ性能およびタッチ性能などを考慮してＨ−センシング方式でタッチ駆動およびセンシングを遂行しながらも、ＥＭＩの影響を減らすことができる。
【０２３８】
図２１を参照すれば、本実施例に係るタッチ表示装置１００がＨ−センシング方式でタッチ駆動およびセンシングを遂行すると、一フレーム区間に二以上のディスプレイ区間と二以上のタッチ区間が存在することができる。
【０２３９】
この時、各タッチ区間（ＴＳ１）内でタッチ駆動信号（ＴＤＳ）の周波数を変更する場合、二以上の単位タッチ区間（ＵＴＳ１、ＵＴＳ２、ＵＴＳ３）は、各タッチ区間（ＴＳ１）にすべて存在することができる。
【０２４０】
前述したマルチ周波数駆動を通じて、本実施例に係るタッチ表示装置１００は、ディスプレイ性能およびタッチ性能などを考慮してＨ−センシング方式でタッチ駆動およびセンシングを遂行しながらも、ＥＭＩの影響をさらに分散させることによってＥＭＩの影響をさらに多く減らすことができる。
【０２４１】
図１９および図２１を参照すれば、二以上の単位タッチ区間（ＵＴＳ１、ＵＴＳ２、ＵＴＳ３）が一つのタッチ区間に一緒に存在する場合、二以上の単位タッチ区間（ＵＴＳ１、ＵＴＳ２、ＵＴＳ３）の区間の長さの合計（Ｔ１＋Ｔ２＋Ｔ３）は、一つのタッチ区間（ＴＳ）の区間長さ以下であり得る。
【０２４２】
前述したことによれば、タッチ表示装置１００は、所望の全体的なディスプレイおよびタッチ性能条件を満足させながらも、ＥＭＩ改善のためのマルチ周波数駆動を効率的に提供することができる。
【０２４３】
以下では、以上で前述したマルチ周波数駆動によるタッチ駆動を遂行してタッチをセンシングする方法を簡略に再度説明する。
【０２４４】
以下では、以上で説明したマルチ周波数基盤のタッチ駆動方法に対する具体的な実施例をさらに詳細に説明する。
【０２４５】
図２２および図２３は、本実施例に係るタッチ表示装置のマルチ周波数基盤のタッチ駆動を示した図面である。
【０２４６】
図２２は、タッチモードのための１個のタッチ区間（ＴＳ）を図示したものである。
【０２４７】
図２２を参照すれば、タッチモードのための各タッチ区間（ＴＳ１）は、二以上の単位タッチ区間（ＵＴＳａ、ＵＴＳｂ、ＵＴＳｃ）を含む。
【０２４８】
二以上の単位タッチ区間（ＵＴＳａ、ＵＴＳｂ、ＵＴＳｃ）それぞれから出力されるタッチ駆動信号（ＴＤＳａ、ＴＤＳｂ、ＴＤＳｃ）は、一定の周波数（Ｆａ、Ｆｂ、Ｆｃ）を有する。
【０２４９】
二以上の単位タッチ区間（ＵＴＳａ、ＵＴＳｂ、ＵＴＳｃ）中の少なくとも一つの単位タッチ区間から出力されるタッチ駆動信号の周波数は、他の単位タッチ区間から出力されるタッチ駆動信号の周波数と異なり得る。
【０２５０】
このようなマルチ周波数基盤のタッチ駆動によれば、一つのタッチ区間（ＴＳ１）の間タッチセンシング回路１２０から出力されるタッチ駆動信号（ＴＤＳａ、ＴＤＳｂ、ＴＤＳｃ）の周波数（Ｆａ、Ｆｂ、Ｆｃ）中の少なくとも一つが異なるように変更されることによってＥＭＩ分散現象が発生するため、タッチ駆動によって発生するＥＭＩ現象が緩和され得る。
【０２５１】
二以上の単位タッチ区間（ＵＴＳａ、ＵＴＳｂ、ＵＴＳｃ）それぞれから出力されるタッチ駆動信号（ＴＤＳａ、ＴＤＳｂ、ＴＤＳｃ）の周波数（Ｆａ、Ｆｂ、Ｆｃ）は、該当単位タッチ区間の区間の長さと、該当単位タッチ区間でのタッチ駆動信号のパルス個数によって定義され得る。
【０２５２】
前述した通り、本実施例に係るタッチ表示装置１００は、二以上の単位タッチ区間（ＵＴＳａ、ＵＴＳｂ、ＵＴＳｃ）中の少なくとも一つの単位タッチ区間から出力されるタッチ駆動信号の周波数を他の単位タッチ区間から出力されるタッチ駆動信号の周波数と異なるようにするために、二つの周波数変更技法を提供する。
【０２５３】
二つの周波数変更技法として、タッチ駆動信号のパルス個数を調節して周波数を変更する第１技法と、単位タッチ区間の区間の長さを調節して周波数を変更する第２技法がある。
【０２５４】
第１周波数変更技法によれば、二以上の単位タッチ区間（ＵＴＳａ、ＵＴＳｂ、ＵＴＳｃ）それぞれの区間長さ（Ｔａ、Ｔｂ、Ｔｃ）が同一であり、二以上の単位タッチ区間（ＵＴＳａ、ＵＴＳｂ、ＵＴＳｃ）それぞれでのタッチ駆動信号（ＴＤＳａ、ＴＤＳｂ、ＴＤＳｃ）のパルス個数（Ｎａ、Ｎｂ、Ｎｃ）が互いに異なり得る。
【０２５５】
第２周波数変更技法によれば、二以上の単位タッチ区間（ＵＴＳａ、ＵＴＳｂ、ＵＴＳｃ）それぞれの区間長さ（Ｔａ、Ｔｂ、Ｔｃ）が互いに異なり、二以上の単位タッチ区間のそれぞれでのタッチ駆動信号（ＴＤＳａ、ＴＤＳｂ、ＴＤＳｃ）のパルス個数（Ｎａ、Ｎｂ、Ｎｃ）が同一であり得る。
【０２５６】
二以上の単位タッチ区間（ＵＴＳａ、ＵＴＳｂ、ＵＴＳｃ）の区間長さ（Ｔａ、Ｔｂ、Ｔｃ）の合計は、一つのタッチ区間（ＴＳ１）の区間長さ以下であり得る。
【０２５７】
図２３は、タッチモードのための２個のタッチ区間（ＴＳ１、ＴＳ２）を図示した図面であって、すなわち、２個のタッチ区間（ＴＳ１、ＴＳ２）は、時間的に分離された区間であって、その間に少なくとも一つのディスプレイ区間が存在することができる。
【０２５８】
図２３を参照すれば、第１タッチ区間（ＴＳ１）と同様に、第２タッチ区間（ＴＳ２）も、連続する二以上の単位タッチ区間（ＵＴＳｘ、ＵＴＳｙ、ＵＴＳｚ）を含む。
【０２５９】
二以上の単位タッチ区間（ＵＴＳｘ、ＵＴＳｙ、ＵＴＳｚ）それぞれから出力されるタッチ駆動信号（ＴＤＳｘ、ＴＤＳｙ、ＴＤＳｚ）は、一定の周波数（Ｆｘ、Ｆｙ、Ｆｚ）を有する。
【０２６０】
二以上の単位タッチ区間（ＵＴＳｘ、ＵＴＳｙ、ＵＴＳｚ）中の少なくとも一つの単位タッチ区間から出力されるタッチ駆動信号の周波数は、他の単位タッチ区間から出力されるタッチ駆動信号の周波数と異なり得る。
【０２６１】
図２３を参照すれば、第１タッチ区間（ＴＳ１）で順に使用されるｍ１個の周波数（Ｆａ、Ｆｂ、Ｆｃ）と、第２タッチ区間（ＴＳ２）で順に使用されるｍ２個の周波数（Ｆｘ、Ｆｙ、Ｆｚ）は、すべて同一であるか少なくとも一対は互いに異なり得る。ここで、ｍ１は、２以上で単位タッチ区間個数ｋ以下の自然数であり、ｍ２は、２以上で単位タッチ区間個数ｋ以下の自然数である。ｍ１とｍ２は同一または違う値であり得る。
【０２６２】
すなわち、ＦａとＦｘが一対で、ＦｂとＦｙが他の一対、ＦｃとＦｚがさらに他の一対であるとする時、各対をなす２個の周波数は、すべて同一であり得る（Ｆａ＝Ｆｘ、Ｆｂ＝Ｆｙ、Ｆｃ＝Ｆｚ）。
【０２６３】
これとは違って、３対の中で少なくとも一対をなす２つの周波数は異なり得る。
【０２６４】
例えば、Ｆａ＝Ｆｘ、Ｆｂ≠Ｆｙ、Ｆｃ＝Ｆｚや、Ｆａ＝Ｆｘ、Ｆｂ＝Ｆｙ、Ｆｃ≠Ｆｚや、Ｆａ＝Ｆｘ、Ｆｂ≠Ｆｙ、Ｆｃ≠Ｆｚや、Ｆａ≠Ｆｘ、Ｆｂ≠Ｆｙ、Ｆｃ≠Ｆｚなどであり得る。
【０２６５】
前述したことによれば、ＥＭＩ改善効果を得るために、互いに異なるタッチ区間（ＴＳ１、ＴＳ２）で周波数を多様に変更して使用することができる。
【０２６６】
図２３に図示された通り、第１タッチ区間（ＴＳ１）の１番目の単位タッチ区間（ＵＴＳａ）から出力されるタッチ駆動信号（ＴＤＳａ）の周波数（Ｆａ）と、第２タッチ区間（ＴＳ２）の１番目の単位タッチ区間（ＵＴＳｘ）から出力されるタッチ駆動信号（ＴＤＳｘ）の周波数（Ｆｘ）は、互いに同一であり得る（Ｆａ＝Ｆｘ）。
【０２６７】
このように、各タッチ区間で最初に使用する周波数を同一にすることによって、最初の使用周波数を基準としてタッチ区間内で周波数を効率的に変更することができる。
【０２６８】
図２４は、本実施例に係るタッチ表示装置１００のＶ−センシング方式のマルチ周波数基盤のタッチ駆動を示した図面で、図２５および図２６は、本実施例に係るタッチ表示装置１００のＨ−センシング方式のマルチ周波数基盤のタッチ駆動を示した図面である。
【０２６９】
図２４および図２５を参照すれば、ディスプレイモードのためのディスプレイ区間（ＤＳ１、ＤＳ２）とタッチモードのためのタッチ区間（ＴＳ１、ＴＳ２）は時間的に分離されて存在することができる。
【０２７０】
図２４に図示された通り、Ｖ−センシング方式でタッチセンシングをする場合、一フレーム区間は、一つのディスプレイ区間（ＤＳ１）と一つのタッチ区間（ＴＳ１）を含むことができる。
【０２７１】
図２５に図示された通り、Ｈ−センシング方式でタッチセンシングをする場合、一フレーム区間は二以上のディスプレイ区間（ＤＳ１、ＤＳ２）と一つ以上のタッチ区間（ＴＳ１、ＴＳ２）を含むことができる。
【０２７２】
ディスプレイ性能およびタッチ性能などを考慮してＶ−センシング方式とＨ−センシング方式のうちいかなる方式でタッチセンシングをしても、ＥＭＩ改善のためのマルチ周波数基盤のタッチ駆動方式をすべて適用することができる。
【０２７３】
図２５は一フレーム区間に２個のディスプレイ区間（ＤＳ１、ＤＳ２）と２個のタッチ区間（ＴＳ１、ＴＳ２）を割り当てる方式であり、このような割り当て方式をより一般化して示した図面が図２６である。
【０２７４】
図２６を参照すれば、１番目のフレーム区間からｍ番目のフレーム区間まで、各フレーム区間は、ｎ個のタッチ区間（ＴＳ１、…、ＴＳｎ）を含む。
【０２７５】
１番目のフレーム区間で、ｎ個のタッチ区間（ＴＳ１、…、ＴＳｎ）中の１番目のタッチ区間（ＴＳ１）は、二以上の単位タッチ区間（ＵＴＳａ１、ＵＴＳｂ１、ＵＴＳｃ１）を含むことができる。
【０２７６】
ここで、二以上の単位タッチ区間（ＵＴＳａ１、ＵＴＳｂ１、ＵＴＳｃ１）それぞれから出力されるタッチ駆動信号（ＴＤＳａ１、ＴＤＳｂ１、ＴＤＳｃ１）の周波数（Ｆａ１、Ｆｂ１、Ｆｃ１）中の少なくとも一つは、周波数変更処理によって残りと異なり得る。
【０２７７】
このような周波数変更処理は、二以上の単位タッチ区間（ＵＴＳａ１、ＵＴＳｂ１、ＵＴＳｃ１）それぞれの区間長さ（Ｔａ１、Ｔｂ１、Ｔｃ１）を調節するか、二以上の単位タッチ区間（ＵＴＳａ１、ＵＴＳｂ１、ＵＴＳｃ１）それぞれから出力されるタッチ駆動信号（ＴＤＳａ１、ＴＤＳｂ１、ＴＤＳｃ１）のパルス個数（Ｎａ１、Ｎｂ１、Ｎｃ１）を調節することによって、行われ得る。
【０２７８】
１番目のフレーム区間で、ｎ個のタッチ区間（ＴＳ１、…、ＴＳｎ）中のｎ番目のタッチ区間（ＴＳｎ）は、二以上の単位タッチ区間（ＵＴＳｘ１、ＵＴＳｙ１、ＵＴＳｚ１）を含むことができる。
【０２７９】
ここで、二以上の単位タッチ区間（ＵＴＳｘ１、ＵＴＳｙ１、ＵＴＳｚ１）それぞれから出力されるタッチ駆動信号（ＴＤＳｘ１、ＴＤＳｙ１、ＴＤＳｚ１）の周波数（Ｆｘ１、Ｆｙ１、Ｆｚ１）中の少なくとも一つは、周波数変更処理によって残りと異なり得る。
【０２８０】
このような周波数変更処理は、二以上の単位タッチ区間（ＵＴＳｘ１、ＵＴＳｙ１、ＵＴＳｚ１）それぞれの区間長さ（Ｔｘ１、Ｔｙ１、Ｔｚ１）を調節するか、二以上の単位タッチ区間（ＵＴＳｘ１、ＵＴＳｙ１、ＵＴＳｚ１）それぞれから出力されるタッチ駆動信号（ＴＤＳｘ１、ＴＤＳｙ１、ＴＤＳｚ１）のパルス個数（Ｎｘ１、Ｎｙ１、Ｎｚ１）を調節することによって、行われ得る。
【０２８１】
ｍ番目のフレーム区間で、ｎ個のタッチ区間（ＴＳ１、…、ＴＳｎ）中の１番目のタッチ区間（ＴＳ１）は、二以上の単位タッチ区間（ＵＴＳａｍ、ＵＴＳｂｍ、ＵＴＳｃｍ）を含むことができる。
【０２８２】
ここで、二以上の単位タッチ区間（ＵＴＳａｍ、ＵＴＳｂｍ、ＵＴＳｃｍ）それぞれから出力されるタッチ駆動信号（ＴＤＳａｍ、ＴＤＳｂｍ、ＴＤＳｃｍ）の周波数（Ｆａｍ、Ｆｂｍ、Ｆｃｍ）中の少なくとも一つは、周波数変更処理によって残りと異なり得る。
【０２８３】
このような周波数変更処理は、二以上の単位タッチ区間（ＵＴＳａｍ、ＵＴＳｂｍ、ＵＴＳｃｍ）それぞれの区間長さ（Ｔａｍ、Ｔｂｍ、Ｔｃｍ）を調節するか、二以上の単位タッチ区間（ＵＴＳａｍ、ＵＴＳｂｍ、ＵＴＳｃｍ）それぞれから出力されるタッチ駆動信号（ＴＤＳａｍ、ＴＤＳｂｍ、ＴＤＳｃ１ｍ）のパルス個数（Ｎａｍ、Ｎｂｍ、Ｎｃｍ）を調節することによって、行われ得る。
【０２８４】
ｍ番目のフレーム区間で、ｎ個のタッチ区間（ＴＳ１、…、ＴＳｎ）中のｎ番目のタッチ区間（ＴＳｎ）は、二以上の単位タッチ区間（ＵＴＳｘｍ、ＵＴＳｙｍ、ＵＴＳｚｍ）を含むことができる。
【０２８５】
ここで、二以上の単位タッチ区間（ＵＴＳｘ１、ＵＴＳｙ１、ＵＴＳｚ１）それぞれから出力されるタッチ駆動信号（ＴＤＳｘ１、ＴＤＳｙ１、ＴＤＳｚ１）の周波数（Ｆｘ１、Ｆｙ１、Ｆｚ１）中の少なくとも一つは、周波数変更処理によって残りと異なり得る。
【０２８６】
このような周波数変更処理は、二以上の単位タッチ区間（ＵＴＳｘｍ、ＵＴＳｙｍ、ＵＴＳｚｍ）それぞれの区間長さ（Ｔｘｍ、Ｔｙｍ、Ｔｚｍ）を調節するか、二以上の単位タッチ区間（ＵＴＳｘｍ、ＵＴＳｙｍ、ＵＴＳｚｍ）それぞれから出力されるタッチ駆動信号（ＴＤＳｘｍ、ＴＤＳｙｍ、ＴＤＳｚｍ）のパルス個数（Ｎｘｍ、Ｎｙｍ、Ｎｚｍ）を調節することによって、行われ得る。
【０２８７】
図２７は、本実施例に係るタッチ表示装置１００のマルチ周波数基盤のタッチ駆動のための周波数変更方式を示した図面である。
【０２８８】
図２７を参照すれば、本実施例に係るタッチ表示装置１００は、タッチセンシングのために、マルチ周波数基盤のタッチ駆動を遂行し、このために、タッチ駆動信号の周波数を変更する処理をすることができる。
【０２８９】
このような周波数変更処理のために、本実施例に係るタッチ表示装置１００は、使用可能周波数を保存する周波数テーブル２７００をさらに含むことができる。
【０２９０】
周波数テーブル２７００は、周波数変更処理のために変更可能な使用可能周波数を含む使用可能周波数リストを保存している。
【０２９１】
また、周波数テーブル２７００に保存された使用可能周波数リストは、タッチ区間別または単位タッチ区間別に分類されていることもある。
【０２９２】
タッチセンシング回路１２０は、このような周波数テーブル２７００を参照してタッチ駆動信号の周波数を変更する。
【０２９３】
したがって、各タッチ区間内の二以上の単位タッチ区間のそれぞれから出力されるタッチ駆動信号の周波数は、周波数テーブル２７００に保存された使用可能周波数中の抽出された周波数であり得る。
【０２９４】
前述した通り、周波数テーブル２７００に周波数変更時に使用可能な使用可能周波数リストをあらかじめ設定しておき、これに基づいて変更する周波数を決定することによって、本実施例に係るタッチ表示装置１００は、迅速な周波数変更処理を遂行できる長所がある。
【０２９５】
二以上の単位タッチ区間のそれぞれから出力されるタッチ駆動信号の周波数が変更される場合、周波数テーブル２７００に保存された使用可能周波数リストから定められた順にまたはランダムに抽出して変更され得る。
【０２９６】
周波数テーブル２７００に保存された使用可能周波数リスト上の使用可能周波数を順に選択して周波数変更処理に活用する場合、変更する周波数を速かに決定することができる。
【０２９７】
ただし、ＥＭＩ改善のために、使用可能周波数リスト上の使用可能周波数は、順序上、隣接した周波数間の間隔を一定間隔以上有するように整列されていなければならない。
【０２９８】
たとえば、一つのタッチ区間が３個以上の単位タッチ区間を含む場合、一つのタッチ区間内の３個以上の単位タッチ区間のそれぞれの周波数は、一定の大きさに変化され得る。
【０２９９】
そして、周波数テーブル２７００に保存された使用可能周波数リスト上の使用可能周波数中の一つの周波数を任意に選択して周波数変更処理に活用する場合、任意に選択される周波数は、互いに異なる確率が高いため、ＥＭＩ改善に役に立ち得る。
【０３００】
前述した通り、周波数テーブル２７００を活用した周波数変更処理時、変更される周波数は、ＥＭＩ改善に役立つように決定されなければならない。
【０３０１】
したがって、マルチ周波数基盤のタッチ駆動のための周波数変更特性を示した図２９に図示された通り、一つのタッチ区間（ＴＳ）で使用されるｍ（ｍは２以上の自然数、ここで、ｍ＝３）個の周波数（Ｆ１、Ｆ２、Ｆ３）は、周波数テーブル２７００に保存された使用可能周波数リストから抽出される時、周波数間隔（Ｄ１２、Ｄ２３）が一定間隔以上となるように抽出されなければならない。
【０３０２】
ＥＭＩ改善効果の最大化のためには、一つのタッチ区間（ＴＳ）で使用される二以上の周波数（Ｆ１、Ｆ２、Ｆ３）間の周波数間隔が最大限大きくなるように、周波数変更処理されなければならない。
【０３０３】
このように、周波数テーブル２７００であらかじめ定義された使用可能周波数リストを参照して周波数間の間隔が最大限大きくなるように周波数を変更することによって、ＥＭＩ発生可能性およびＥＭＩ発生程度を著しく低下させることができる。
【０３０４】
さらに他の周波数変更処理方式として、ノイズ測定結果を利用した周波数ホッピング（Ｆｒｅｑｕｅｎｃｙ  Ｈｏｐｐｉｎｇ）技法を利用して周波数変更処理をすることができる。
【０３０５】
これと関連して、タッチセンシング回路１２０は、タッチ駆動信号（ＴＤＳ）の周波数を変更する時、ノイズ測定結果によりノイズが回避される周波数に変更することができる。
【０３０６】
ここで、ノイズ測定結果は、タッチ表示装置１００の内部に搭載されたノイズ測定装置（図示されず）から出力されてタッチセンシング回路１２０に入力された情報であり得、外部のノイズ測定装置（図示されず）からタッチ表示装置１００に入力された情報であり得る。
【０３０７】
タッチ駆動信号（ＴＤＳ）の周波数をノイズ回避周波数に変更する具体的な方法を説明する。
【０３０８】
ノイズ測定結果によりノイズを誘発させる周波数と確認されたノイズ誘発周波数を、あらかじめ設定された使用可能周波数リストから除去するか、あらかじめ設定された使用可能周波数範囲から除去する。
【０３０９】
このようにすれば、ノイズ誘発周波数が除去された使用可能周波数リストまたはノイズ誘発周波数が除去された使用可能周波数範囲を参照してタッチ駆動信号（ＴＤＳ）の周波数を変更する時、自然に、ノイズ誘発周波数を除いた周波数が選択されてタッチ駆動信号（ＴＤＳ）の変更周波数に設定される。
【０３１０】
一方、ノイズ誘発周波数は、あらかじめ設定された一定時間の間、使用可能周波数リストまたは使用可能周波数範囲から除去されて再び含まれるか、ノイズ測定結果獲得時点から電源がオフ（Ｏｆｆ）されるまで、使用可能周波数リストまたは使用可能周波数範囲から除去されて、電源がオン（Ｏｎ）される時、使用可能周波数リストまたは使用可能周波数範囲に再び含まれ得る。
【０３１１】
またはノイズ誘発周波数は、使用可能周波数リストまたは使用可能周波数範囲から除去され、次に入力されたノイズ測定結果でノイズを誘発させない周波数と確認されると、使用可能周波数リストまたは使用可能周波数範囲に再び含まれることもある。
【０３１２】
一方、ノイズ測定は、タッチセンシング期間（タッチ区間を含む）と他の期間（ノイズ測定期間）で表示パネル１１０内のタッチ電極（ＴＥ）の電圧などをセンシングしてノイズを測定することができる。
【０３１３】
図２８は本実施例に係るタッチ表示装置１００のマルチ周波数基盤のタッチ駆動のための他の周波数変更方式を示した図面である。
【０３１４】
図２８を参照すれば、本実施例に係るタッチ表示装置１００は、周波数変更処理時、変更可能な周波数の範囲（使用可能周波数範囲）をあらかじめ設定しておき、あらかじめ設定された使用可能周波数範囲内で変更する周波数を決定することができる。
【０３１５】
これによって、一つのタッチ区間内の二以上の単位タッチ区間のそれぞれから出力されるタッチ駆動信号の周波数は、あらかじめ設定された使用可能周波数範囲内で決定され得る。
【０３１６】
前述した方式によれば、使用可能周波数範囲内で変更する周波数を自由に決定することによって、変更される周波数のランダム性を高めることができ、これを通じて、ＥＭＩ改善効果をさらに高めることができる。
【０３１７】
一方、図２９に図示された通り、一つのタッチ区間（ＴＳ）で使用される二以上の周波数（Ｆ１、Ｆ２、Ｆ３）は、使用可能周波数範囲内から抽出される時、周波数間隔が一定間隔以上となるように決定され得る。
【０３１８】
ＥＭＩ改善効果最大化のためには、一つのタッチ区間（ＴＳ）で使用される二以上の周波数（Ｆ１、Ｆ２、Ｆ３）間の周波数間隔は、最大限大きくなるように、使用可能周波数範囲内で周波数が選択されて周波数変更処理されなければならない。
【０３１９】
このように、あらかじめ設定された使用可能周波数範囲内で周波数間の間隔が最大限大きくなるように周波数を決定して変更することによって、ＥＭＩ発生可能性およびＥＭＩ発生程度を著しく低下させることができる。
【０３２０】
以上で説明した本実施例に係るタッチ表示装置１００の駆動方法について簡略に再度説明する。
【０３２１】
図３０は、本実施例に係るタッチ表示装置１００の駆動方法に対するフローチャートである。
【０３２２】
図３０を参照すれば、本実施例に係るタッチ表示装置１００は、複数のデータラインおよび複数のゲートラインが配置され、複数のデータラインおよび複数のゲートラインによって定義される複数のサブピクセルが配列された表示パネルを含み、映像表示のためのディスプレイモードとタッチセンシングのためのタッチモードとを含む二つの動作モードを有しており、このような二つの動作モードのための駆動方法を提供することができる。
【０３２３】
図３０を参照すれば、本実施例に係るタッチ表示装置１００の駆動方法は、ディスプレイモードのためのディスプレイ区間の間、データラインおよびゲートラインを駆動するディスプレイ駆動段階（Ｓ３０１０）と、タッチモードのためのタッチ区間の間、表示パネルの内部または外部に配置された複数のタッチ電極のうち少なくとも一つを駆動するためのパルスタイプのタッチ駆動信号を出力するタッチ駆動段階（Ｓ３０２０）などを含むことができる。
【０３２４】
このようなディスプレイ駆動段階（Ｓ３０１０）およびタッチ駆動段階（Ｓ３０２０）は、その順序が反対となることもでき、繰り返し遂行され得る。
【０３２５】
一方、一つのタッチ区間は、連続する二以上の単位タッチ区間を含むことができる。
【０３２６】
また、二以上の単位タッチ区間のそれぞれから出力されるタッチ駆動信号は、一定の周波数を有することができる。
【０３２７】
また、二以上の単位タッチ区間のうち少なくとも一つの単位タッチ区間から出力されるタッチ駆動信号の周波数は、他の単位タッチ区間から出力されるタッチ駆動信号の周波数と異なり得る。
【０３２８】
前述した駆動方法によれば、タッチ駆動時、マルチ周波数基盤のタッチ駆動を遂行することによって、一つのタッチ区間の間、タッチ電極から出力されるタッチ駆動信号の周波数のうち少なくとも一つが異なるように変更することができ、これによって、ＥＭＩ分散現象が発生するため、タッチ駆動によって発生するＥＭＩ現象が緩和され得る。
【０３２９】
以下では、前述したマルチ周波数基盤のタッチ駆動のためのタッチセンシング回路１２０を説明する。
【０３３０】
図３１および図３２は本実施例に係るタッチ表示装置１００のタッチセンシング回路１２０を示した図面である。
【０３３１】
図３１および図３２を参照すれば、タッチセンシング回路１２０は、映像表示のためのディスプレイモードとタッチセンシングのためのタッチモードとを含む二つの動作モードを有するタッチ表示装置１００でタッチセンシングのための回路である。
【０３３２】
図３１および図３２を参照すれば、タッチセンシング回路１２０は、複数のタッチ電極（ＴＥ）中の少なくとも一つを駆動するためのパルスタイプのタッチ駆動信号を出力する駆動回路３１１０と、複数のタッチ電極（ＴＥ）それぞれでキャパシタンス変化を検出してタッチ有無またはタッチ位置をセンシングするセンシング回路３１２０などを含むことができる。
【０３３３】
駆動回路３１１０は、各タッチ電極（ＴＥ）と信号ライン（ＳＬ）を通じて電気的に連結され得る。
【０３３４】
ここで、各タッチ電極（ＴＥ）は他の層（Ｌａｙｅｒ）に位置した信号ライン（ＳＬ）とコンタクトホール（ＣＮＴ）を通じて連結され得る。
【０３３５】
駆動回路３１１０は前述したマルチ周波数基盤のタッチ駆動を遂行する。
【０３３６】
タッチモードのための一つのタッチ区間は、連続する二以上の単位タッチ区間を含むことができる。
【０３３７】
二以上の単位タッチ区間のそれぞれから出力されるタッチ駆動信号は、一定の周波数を有することができる。
【０３３８】
二以上の単位タッチ区間のうち少なくとも一つの単位タッチ区間から出力されるタッチ駆動信号の周波数は、他の単位タッチ区間から出力されるタッチ駆動信号の周波数と異なり得る。
【０３３９】
前述したタッチセンシング回路１２０を利用すれば、マルチ周波数基盤のタッチ駆動を通じて、ＥＭＩ改善効果を得ることができる。
【０３４０】
図３１を参照すれば、タッチセンシング回路１２０は、周波数変更処理を通じて、二つ以上の周波数を有するタッチ駆動信号を生成する信号生成回路３１３０をさらに含むことができる。
【０３４１】
前述した通り、一つの信号生成回路３１３０だけで周波数のタッチ駆動信号（ＴＤＳ）を生成してマルチ周波数駆動を遂行できるようになることによって、信号生成構成個数を減らすことができる。
【０３４２】
図３２を参照すれば、タッチセンシング回路１２０は、二つ以上の周波数のうち一つの周波数のタッチ駆動信号を生成する信号生成回路３１３０と、周波数変更処理を通じて、信号生成回路３１３０で生成されたタッチ駆動信号を異なる周波数のタッチ駆動信号に変換する信号変換回路３２００をさらに含むことができる。
【０３４３】
前述した通り、信号生成回路３１３０が一つの周波数（基準となる周波数）のタッチ駆動信号を生成し、信号変換回路３２００が異なる周波数のタッチ駆動信号を生成することによって、マルチ周波数駆動を遂行できるようになることによって、信号生成構成の個数が増えることがあり得るが、信号変換回路３２００だけを追加すれば、単一周波数だけを使用する既存の信号生成回路３１３０をそのまま活用できる長所がある。
【０３４４】
駆動回路３１１０、センシング回路３１２０、信号生成回路３１３０および信号変換回路３２００は、別途の集積回路または別途の部品で具現され得る。
【０３４５】
このような場合、信号生成回路３１３０はパワー集積回路で具現され得る。
【０３４６】
そして、駆動回路３１１０は、マルチプレクサー、積分器、アナログデジタルコンバータ（Ａｎａｌｏｇ  ｔｏ  Ｄｉｇｉｔａｌ  Ｃｏｎｖｅｒｔｅｒ）などを含むリード−アウト集積回路（Ｒｅａｄ−Ｏｕｔ  ＩＣ）で具現することができ、ディスプレイ区間の間、タッチ電極（ＴＥ）に共通電圧を出力して、タッチ区間の間、タッチ電極（ＴＥ）にタッチ駆動信号（ＴＤＳ）を出力することができる。
【０３４７】
また、駆動回路３１１０は、リード−アウト集積回路（Ｒｅａｄ−Ｏｕｔ  ＩＣ）の機能部とデータライン（ＤＬ）を駆動するためのデータ駆動部（図示されず）をともに含む統合型集積回路で具現することもできる。
【０３４８】
そして、センシング回路３１２０は、マイクロコントロールユニット（ＭＣＵ：Ｍｉｃｒｏ  Ｃｏｎｔｒｏｌ  Ｕｎｉｔ）で具現され得る。
【０３４９】
信号変換回路３２００は、周波数転換器で具現され得る。
【０３５０】
一方、駆動回路３１１０、センシング回路３１２０、信号生成回路３１３０および信号変換回路３２００などのうち二以上は、一つの集積回路内に含まれて具現され得る。
【０３５１】
一例として、信号生成回路３１３０と駆動回路３１１０が一つの集積回路または一つの部品内に含まれて具現され得る。
【０３５２】
他の例として、信号生成回路３１３０、駆動回路３１１０およびセンシング回路３１２０のすべてが一つの集積回路または一つの部品内に含まれて具現されることもある。
【０３５３】
前述した通り、タッチセンシング回路１２０を多様な個数の集積回路または部品で具現することによって、中／大型表示装置、小型表示装置、またはモバイル装置などに適合したタッチセンシング回路１２０を具現することができる。
【０３５４】
図３３は、本実施例に係るタッチ表示装置１００のタッチセンシング回路１２０の駆動回路３１１０を示した図面である。
【０３５５】
図３３を参照すれば、本実施例に係る駆動回路３１１０は、タッチセンシングのための複数のタッチ電極のうち少なくとも一つを駆動するためのパルスタイプのタッチ駆動信号を出力する信号出力部３３１０と、タッチ駆動信号が印加されたタッチ電極からタッチセンシングのための信号を検出する信号検出部３３２０などを含むことができる。
【０３５６】
信号検出部３３２０により検出された信号は、センシング回路３１２０に伝達されてタッチセンシングに利用される。
【０３５７】
前述した駆動回路３１１０は、マルチ周波数基盤のタッチ駆動を遂行する回路である。
【０３５８】
タッチモードのための一つのタッチ区間は、連続する二以上の単位タッチ区間を含むことができる。
【０３５９】
二以上の単位タッチ区間のそれぞれから出力されるタッチ駆動信号は、一定の周波数を有することができる。
【０３６０】
そして、二以上の単位タッチ区間のうち少なくとも一つの単位タッチ区間から出力されるタッチ駆動信号の周波数は、他の単位タッチ区間から出力されるタッチ駆動信号の周波数と異なり得る。
【０３６１】
前述した駆動回路３１１０を利用すれば、マルチ周波数基盤のタッチ駆動を通じて、ＥＭＩ改善効果を得ることができる。
【０３６２】
前述した駆動回路３１１０は、マルチプレクサー、積分器、アナログデジタルコンバータ（Ａｎａｌｏｇ  ｔｏ  Ｄｉｇｉｔａｌ  Ｃｏｎｖｅｒｔｅｒ）、アナログフロントエンド（ＡＦＥ：Ａｎａｌｏｇ  Ｆｒｏｎｔ  Ｅｎｄ）などを含んで信号出力および信号検出機能を遂行することができる。
【０３６３】
このような駆動回路３１１０は、リード−アウト集積回路（Ｒｅａｄ−Ｏｕｔ  ＩＣ）で具現され得る。
【０３６４】
また、このような駆動回路３１１０は、ディスプレイ区間の間、ディスプレイ駆動のための共通電圧をタッチ電極（ＴＥ）に出力し、タッチ区間の間、タッチ駆動信号（ＴＤＳ）を少なくとも一つのタッチ電極（ＴＥ）に出力することができる。
【０３６５】
また、駆動回路３１１０は、リード−アウト集積回路（Ｒｅａｄ−Ｏｕｔ  ＩＣ）の機能部とデータライン（ＤＬ）を駆動するためのデータ駆動部（図示されず）をともに含む統合型集積回路で具現することもできる。
【０３６６】
図３４は、本実施例に係るタッチ表示装置１００のＥＭＩ改善効果を示した図面である。
【０３６７】
図３４を参照すれば、タッチ表示装置１００が１００ＫＨｚの単一周波数を有するタッチ駆動信号（ＴＤＳ）を利用してタッチ電極（ＴＥ）を駆動する場合にタッチ駆動信号（ＴＤＳ）によりＡＭ（Ａｍｐｌｉｔｕｄｅ  Ｍｏｄｕｌａｔｉｏｎ）周波数領域（例：概略５００ＫＨｚ〜概略１，６０５ＫＨｚ）で発生したＥＭＩがマルチ周波数駆動によって除去されたことを確認することができる。
【０３６８】
図３４は、周波数別ＥＭＩ信号の信号強度を測定して、ＥＭＩ信号の測定上限値３４１０と測定平均値３４２０を周波数別に示したグラフである。
【０３６９】
測定の結果、ＥＭＩ信号の測定上限値３４１０がＡＭ周波数領域でＥＭＩ条件を満足させるための最小上限値である基準上限値７１１より大きく現れる地点（図７の７１２、ＥＭＩに該当する）がなくなったことを確認することができる。
【０３７０】
また、測定の結果、ＥＭＩ信号の測定平均値３４２０がＡＭ周波数領域でＥＭＩ条件を満足させるための最小平均値である基準平均値７２１より大きく現れる地点（図７の７２２、ＥＭＩに該当する）がなくなったことを確認することができる。
【０３７１】
すなわち、マルチ周波数駆動を通じて、ＡＭ周波数領域でＥＭＩ信号の測定上限値３４１０および測定平均値３４２０がＥＭＩ条件を満足させることができる。
【０３７２】
以上で説明したような本実施例によれば、ＥＭＩ（Ｅｌｅｃｔｒｏ  Ｍａｇｎｅｔｉｃ  Ｉｎｔｅｒｆｅｒｅｎｃｅ）水準を改善できる駆動方法、タッチセンシング回路１２０、表示パネル１１０およびタッチ表示装置１００を提供することができる。
【０３７３】
これを通じて、ＥＭＩによるシステム安定性、ディスプレイ性能およびタッチセンシング性能の低下を防止できる。
【０３７４】
本実施例によれば、タッチ区間でＥＭＩ水準を改善しながらも不要な寄生キャパシタンスの発生を防止できる駆動方法、タッチセンシング回路１２０、表示パネル１１０およびタッチ表示装置１００を提供することができる。
【０３７５】
本実施例によれば、ＥＭＩ改善を可能にするマルチ周波数駆動方式のタッチ駆動を遂行できる駆動方法、タッチセンシング回路１２０、表示パネル１１０およびタッチ表示装置１００を提供することができる。
【０３７６】
ここで、マルチ周波数駆動方式は、タッチ駆動信号の周波数変更を通したタッチ駆動方式であって、タッチ駆動信号の周波数変更は、単一周波数を使用する区間（単位タッチ区間）の区間長さを調節する技法、または単一周波数を使用する区間でパルス個数を調節する技法を通じてなされ得る。
【０３７７】
以上での説明および添付された図面は、本発明の技術思想を例示的に表わしたものに過ぎず、本発明が属する技術分野で通常の知識を有した者であれば本発明の本質的な特性から逸脱しない範囲で構成の結合、分離、置換および変更などの多様な修正および変形が可能であろう。したがって、本発明に開示された実施例は、本発明の技術思想を限定するためのものではなく説明するためのものであり、このような実施例によって本発明の技術思想の範囲は限定されない。本発明の保護範囲は、以下の特許請求の範囲によって解釈されるべきであり、それと同等な範囲内にあるすべての技術思想は、本発明の権利範囲に含まれると解釈されるべきである。
【符号の説明】
【０３７８】
１００：タッチ表示装置
１１０：表示パネル
１２０：タッチセンシング回路
３１１０：駆動回路
３１２０：センシング回路
３１３０：信号生成回路
３２００：信号変換回路
３３１０：信号出力部
３３２０：信号検出部
【図１】
2018005882.tif 000005
【図２】
2018005882.tif 000006
【図３】
2018005882.tif 000007
【図４】
2018005882.tif 000008
【図５】
2018005882.tif 000009
【図６】
2018005882.tif 000010
【図７】
2018005882.tif 000011
【図８】
2018005882.tif 000012
【図９】
2018005882.tif 000013
【図１０】
2018005882.tif 000014
【図１１】
2018005882.tif 000015
【図１２】
2018005882.tif 000016
【図１３】
2018005882.tif 000017
【図１４】
2018005882.tif 000018
【図１５】
2018005882.tif 000019
【図１６】
2018005882.tif 000020
【図１７】
2018005882.tif 000021
【図１８】
2018005882.tif 000022
【図１９】
2018005882.tif 000023
【図２０】
2018005882.tif 000024
【図２１】
2018005882.tif 000025
【図２２】
2018005882.tif 000026
【図２３】
2018005882.tif 000027
【図２４】
2018005882.tif 000028
【図２５】
2018005882.tif 000029
【図２６】
2018005882.tif 000030
【図２７】
2018005882.tif 000031
【図２８】
2018005882.tif 000032
【図２９】
2018005882.tif 000033
【図３０】
2018005882.tif 000034
【図３１】
2018005882.tif 000035
【図３２】
2018005882.tif 000036
【図３３】
2018005882.tif 000037
【図３４】
2018005882.tif 000038